(57)【要約】  本開示は、セカンダリセル状態指示方法及び通信機器を提供する。ここの方法において、セカンダリセルの状態が活性状態、非活性状態及び第３状態のうちの２つの状態の間で移行することを指示するための状態移行指示情報を設定するステップと、前記状態移行指示情報をユーザ端末ＵＥに送信するステップとを含む。
2021510252.tif 000002
【特許請求の範囲】
【請求項１】
ネットワーク側機器に応用されるセカンダリセル状態指示方法において、
セカンダリセルの状態が活性状態、非活性状態及び第３状態のうちの２つの状態の間で移行することを指示するための状態移行指示情報を設定するステップと、
前記状態移行指示情報をユーザ端末ＵＥに送信するステップとを含む、セカンダリセル状態指示方法。
【請求項２】
前記状態移行指示情報は、Ｎ（正の整数）ビットのメディアアクセス制御ＭＡＣ制御要素ＣＥを含み、
ＭＡＣ  ＣＥは、Ｍ（正の整数）個のセカンダリセル系列ビットＣｉ（ｉは、Ｍ以下の整数である）を含み、
前記Ｃｉの値は、前記Ｃｉに対応するセカンダリセルの状態が前記活性状態、前記非活性状態及び前記第３状態のうちの２つの状態の間で移行することを指示する、請求項１に記載の方法。
【請求項３】
前記ＭＡＣ  ＣＥは、予約ビットＲをさらに含み、
前記Ｒの値が第１所定値であれば、第２所定値を取るＣｉに対応するセカンダリセルの状態を前記第３状態に移行することを指示し、
前記Ｒの値が第３所定値であれば、第４所定値を取るＣｉに対応するセカンダリセルの状態を前記第３状態から前記活性状態又は前記非活性状態に移行することを指示する、請求項２に記載の方法。
【請求項４】
前記ＭＡＣ  ＣＥは、予約ビットＲをさらに含み、
前記Ｒの値が第５所定値であれば、第６所定値を取るＣｉに対応するセカンダリセルの状態を、現在の状態から所定の移行順に従って次の状態に移行することを指示する、請求項２に記載の方法。
【請求項５】
前記状態移行指示情報は、ＭＡＣ  ＣＥと、前記ＭＡＣ  ＣＥの長さを指示するＬフィールドとを含み、
前記ＭＡＣ  ＣＥは、少なくとも２つのフィールドを含み、各フィールドは、Ｎ（正の整数）ビットを含み、
ここで、前記ＭＡＣ  ＣＥの各フィールドは、Ｍ（正の整数）個のセカンダリセル系列ビットＣｉ（ｉは、Ｍ以下の整数である）を含み、
各フィールドにおける前記Ｃｉの値は、前記Ｃｉに対応するセカンダリセルの状態が前記活性状態、前記非活性状態及び前記第３状態のうちの２つの状態の間で移行することを指示する、請求項１に記載の方法。
【請求項６】
前記ＭＡＣ  ＣＥの各フィールドは、予約ビットＲをさらに含み、
各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行することを指示し、
各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行することを指示する、請求項５に記載の方法。
【請求項７】
前記ＭＡＣ  ＣＥの各フィールドは、予約ビットをさらに含み、
各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することを指示する、請求項５に記載の方法。
【請求項８】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項１に記載の方法。
【請求項９】
前記ＬＣＩＤの値が第１所定値であれば、第２所定値を取るＣｉに対応するセカンダリセルの状態を前記第３状態に移行することを指示し、
前記ＬＣＩＤの値が第３所定値であれば、第４所定値を取るＣｉに対応するセカンダリセルの状態を前記第３状態から移行させることを指示する、請求項８に記載の方法。
【請求項１０】
前記ＬＣＩＤの値が第５所定値であれば、第６所定値を取るＣｉに対応するセカンダリセルの状態を、現在の状態から所定の移行順に従って次の状態に移行することを指示する、請求項８に記載の方法。
【請求項１１】
前記状態移行指示情報は、セカンダリセルの状態を前記第３状態から前記活性状態又は前記非活性状態に移行することを指示するための第２ＭＡＣ  ＣＥをさらに含む、請求項９に記載の方法。
【請求項１２】
前記状態移行指示情報は、ＬＣＩＤと、Ｎ（正の整数）ビットのＭＡＣ  ＣＥとを含み、
前記ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項１に記載の方法。
【請求項１３】
前記ＬＣＩＤの値が第１所定値であれば、第２所定値を取るＣｉに対応する前記第３状態のセカンダリセルの状態を前記活性状態に移行することを指示し、
前記ＬＣＩＤの値が第３所定値であれば、第４所定値を取るＣｉに対応する前記第３状態のセカンダリセルの状態を前記非活性状態に移行することを指示する、請求項１２に記載の方法。
【請求項１４】
前記ＬＣＩＤの値が第５所定値であれば、第６所定値を取るＣｉに対応する前記第３状態のセカンダリセルの状態を、所定の移行順に従って次の状態に移行することを指示する、請求項１２に記載の方法。
【請求項１５】
前記状態移行指示情報は、ＬＣＩＤと、Ｎ（正の整数）ビットのＭＡＣ  ＣＥとを含み、
前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、
前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する、請求項１に記載の方法。
【請求項１６】
前記状態移行指示情報は、ＭＡＣ  ＣＥと、前記ＭＡＣ  ＣＥの長さを指示するＬフィールドとを含み、
前記ＭＡＣ  ＣＥは、セカンダリセル系列を指示するための第１指示ビット列と、セカンダリセルの状態を指示するための第２指示ビット列とを含み、前記Ｍは、正の整数であり、前記ｉは、Ｍ以下の整数であり、前記第１指示ビット列は、少なくとも３ビットを含み、前記第２指示ビット列は、少なくとも２ビットを含み、
前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する、請求項１に記載の方法。
【請求項１７】
ユーザ機器ＵＥに応用されるセカンダリセル状態指示方法において、
セカンダリセルの状態が活性状態、非活性状態及び第３状態のうちの２つの状態の間で移行することを指示するための状態移行指示情報をネットワーク側機器から受信するステップと、
前記状態移行指示情報に基づいてセカンダリセルの状態を移行するステップとを含む、セカンダリセル状態指示方法。
【請求項１８】
前記状態移行指示情報は、Ｎ（正の整数）ビットのＭＡＣ  ＣＥを含み、
前記ＭＡＣ  ＣＥは、Ｍ（正の整数）個のセカンダリセル系列ビットＣｉ（ｉは、Ｍ以下の整数である）を含み、
前記Ｃｉの値は、前記Ｃｉに対応するセカンダリセルの状態が前記活性状態、前記非活性状態及び前記第３状態のうちの２つの状態の間で移行することを指示する、請求項１７に記載の方法。
【請求項１９】
前記ＭＡＣ  ＣＥは、予約ビットＲをさらに含み、
前記の前記状態移行指示情報に基づいてセカンダリセルの状態を移行するステップは、
前記Ｒの値が第１所定値であれば、第２所定値を取るＣｉに対応するセカンダリセルの状態を前記第３状態に移行し、
前記Ｒの値が第３所定値であれば、第４所定値を取るＣｉに対応するセカンダリセルの状態を前記第３状態から前記活性状態又は前記非活性状態に移行することを含む、請求項１８に記載の方法。
【請求項２０】
前記ＭＡＣ  ＣＥは、予約ビットＲをさらに含み、
前記の前記状態移行指示情報に基づいてセカンダリセルの状態を移行するステップは、
前記Ｒの値が第５所定値であれば、第６所定値を取るＣｉに対応するセカンダリセルの状態を、現在の状態から所定の移行順に従って次の状態に移行することを含む、請求項１８に記載の方法。
【請求項２１】
前記状態移行指示情報は、ＭＡＣ  ＣＥと、前記ＭＡＣ  ＣＥの長さを指示するＬフィールドとを含み、
前記ＭＡＣ  ＣＥは、少なくとも２つのフィールドを含み、各フィールドは、Ｎ（正の整数）ビットを含み、
ここで、前記ＭＡＣ  ＣＥの各フィールドは、Ｍ（正の整数）個のセカンダリセル系列ビットＣｉ（ｉは、Ｍ以下の整数である）を含み、
各フィールドにおける前記Ｃｉの値は、前記Ｃｉに対応するセカンダリセルの状態が前記活性状態、前記非活性状態及び前記第３状態のうちの２つの状態の間で移行することを指示する、請求項１７に記載の方法。
【請求項２２】
前記ＭＡＣ  ＣＥの各フィールドは、予約ビットＲをさらに含み、
前記の前記状態移行指示情報に基づいてセカンダリセルの状態を移行するステップは、
各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行し、
各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行することを含む、請求項２１に記載の方法。
【請求項２３】
前記ＭＡＣ  ＣＥの各フィールドは、予約ビットＲをさらに含み、
前記の前記状態移行指示情報に基づいてセカンダリセルの状態を移行するステップは、
各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することを含む、請求項２１に記載の方法。
【請求項２４】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項１７に記載の方法。
【請求項２５】
前記の前記状態移行指示情報に基づいてセカンダリセルの状態を移行するステップは、
前記ＬＣＩＤの値が第１所定値であれば、第２所定値を取るＣｉに対応するセカンダリセルの状態を前記第３状態に移行し、
前記ＬＣＩＤの値が第３所定値であれば、第４所定値を取るＣｉに対応するセカンダリセルの状態を前記第３状態から移行させることを含む、請求項２４に記載の方法。
【請求項２６】
前記の前記状態移行指示情報に基づいてセカンダリセルの状態を移行するステップは、
前記ＬＣＩＤの値が第５所定値であれば、第６所定値を取るＣｉに対応するセカンダリセルの状態を、現在の状態から所定の移行順に従って次の状態に移行することを含む、請求項２４に記載の方法。
【請求項２７】
前記状態移行指示情報は、セカンダリセルの状態を前記第３状態から前記活性状態又は前記非活性状態に移行することを指示するための第２ＭＡＣ  ＣＥをさらに含む、請求項２５又は２６に記載の方法。
【請求項２８】
前記状態移行指示情報は、ＬＣＩＤと、Ｎ（正の整数）ビットのＭＡＣ  ＣＥとを含み、
前記ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項１７に記載の方法。
【請求項２９】
前記の前記状態移行指示情報に基づいてセカンダリセルの状態を移行するステップは、
前記ＬＣＩＤの値が第１所定値であれば、第２所定値を取るＣｉに対応する前記第３状態のセカンダリセルの状態を前記活性状態に移行し、
前記ＬＣＩＤの値が第３所定値であれば、第４所定値を取るＣｉに対応する前記第３状態のセカンダリセルの状態を前記非活性状態に移行することを含む、請求項２８に記載の方法。
【請求項３０】
前記の前記状態移行指示情報に基づいてセカンダリセルの状態を移行するステップは、
前記ＬＣＩＤの値が第５所定値であれば、第６所定値を取るＣｉに対応する前記第３状態のセカンダリセルの状態を、所定の移行順に従って次の状態に移行することを含む、請求項２８又は２９に記載の方法。
【請求項３１】
前記状態移行指示情報は、ＬＣＩＤと、Ｎ（正の整数）ビットのＭＡＣ  ＣＥとを含み、
前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、
前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する、請求項１７に記載の方法。
【請求項３２】
前記の前記状態移行指示情報に基づいてセカンダリセルの状態を移行するステップは、
前記Ｃｉに含まれる前記Ｘビットの値が、前記Ｃｉに対応するセカンダリセルの状態を前記第３状態に移行することを指示するための値であれば、前記Ｃｉに対応するセカンダリセルの状態を前記第３状態に移行し、
前記Ｃｉに含まれる前記Ｘビットの値が、前記Ｃｉに対応するセカンダリセルの状態を前記活性状態に移行することを指示するための値であれば、前記Ｃｉに対応するセカンダリセルの状態を前記活性状態に移行し、
前記Ｃｉに含まれる前記Ｘビットの値が、前記Ｃｉに対応するセカンダリセルの状態を前記非活性状態に移行することを指示するための値であれば、前記Ｃｉに対応するセカンダリセルの状態を前記非活性状態に移行することを含む、請求項３１に記載の方法。
【請求項３３】
前記状態移行指示情報は、メディアアクセス制御ＭＡＣ制御要素ＣＥと、前記ＭＡＣ  ＣＥの長さを指示するＬフィールドとを含み、
前記ＭＡＣ  ＣＥは、セカンダリセル系列を指示するための第１指示ビット列と、セカンダリセルの状態を指示するための第２指示ビット列とを含み、前記Ｍは、正の整数であり、前記ｉは、Ｍ以下の整数であり、前記第１指示ビット列は、少なくとも３ビットを含み、前記第２指示ビット列は、少なくとも２ビットを含み、
前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する、請求項１７に記載の方法。
【請求項３４】
前記の前記状態移行指示情報に基づいてセカンダリセルの状態を移行するステップは、
前記第２指示ビット列の値が、セカンダリセルの状態を前記第３状態に移行することを指示するための値であれば、前記第１指示ビット列の値に対応するセカンダリセルの状態を前記第３状態に移行し、
前記第２指示ビット列の値が、セカンダリセルの状態を前記活性状態に移行することを指示するための値であれば、前記第１指示ビット列の値に対応するセカンダリセルの状態を前記活性状態に移行し、
前記第２指示ビット列の値が、セカンダリセルの状態を前記非活性状態に移行することを指示するための値であれば、前記第１指示ビット列の値に対応するセカンダリセルの状態を前記非活性状態に移行することを含む、請求項３３に記載の方法。
【請求項３５】
セカンダリセルの状態が活性状態、非活性状態及び第３状態のうちの２つの状態の間で移行することを指示するための状態移行指示情報を設定するための設定モジュールと、
前記状態移行指示情報をユーザ端末ＵＥに送信するための送信モジュールとを含む、ネットワーク側機器。
【請求項３６】
前記状態移行指示情報は、Ｎ（正の整数）ビットのメディアアクセス制御ＭＡＣ制御要素ＣＥを含み、
ＭＡＣ  ＣＥは、Ｍ（正の整数）個のセカンダリセル系列ビットＣｉ（ｉは、Ｍ以下の整数である）を含み、
前記Ｃｉの値は、前記Ｃｉに対応するセカンダリセルの状態が前記活性状態、前記非活性状態及び前記第３状態のうちの２つの状態の間で移行することを指示する、請求項３５に記載のネットワーク側機器。
【請求項３７】
前記ＭＡＣ  ＣＥは、予約ビットＲをさらに含み、
前記Ｒの値が第１所定値であれば、第２所定値を取るＣｉに対応するセカンダリセルの状態を前記第３状態に移行することを指示し、
前記Ｒの値が第３所定値であれば、第４所定値を取るＣｉに対応するセカンダリセルの状態を前記第３状態から前記活性状態又は前記非活性状態に移行することを指示する、請求項３６に記載のネットワーク側機器。
【請求項３８】
前記状態移行指示情報は、ＭＡＣ  ＣＥと、前記ＭＡＣ  ＣＥの長さを指示するＬフィールドとを含み、
前記ＭＡＣ  ＣＥは、少なくとも２つのフィールドを含み、各フィールドは、Ｎ（正の整数）ビットを含み、
ここで、前記ＭＡＣ  ＣＥの各フィールドは、Ｍ（正の整数）個のセカンダリセル系列ビットＣｉ（ｉは、Ｍ以下の整数である）を含み、
各フィールドにおける前記Ｃｉの値は、前記Ｃｉに対応するセカンダリセルの状態が前記活性状態、前記非活性状態及び前記第３状態のうちの２つの状態の間で移行することを指示する、請求項３５に記載のネットワーク側機器。
【請求項３９】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項３５に記載のネットワーク側機器。
【請求項４０】
前記状態移行指示情報は、セカンダリセルの状態を前記第３状態から前記活性状態又は前記非活性状態に移行することを指示するための第２ＭＡＣ  ＣＥをさらに含む、請求項３９に記載のネットワーク側機器。
【請求項４１】
前記状態移行指示情報は、ＬＣＩＤと、Ｎ（正の整数）ビットのＭＡＣ  ＣＥとを含み、
前記ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項３５に記載のネットワーク側機器。
【請求項４２】
前記状態移行指示情報は、ＬＣＩＤと、Ｎ（正の整数）ビットのＭＡＣ  ＣＥとを含み、
前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、
前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する、請求項３５に記載のネットワーク側機器。
【請求項４３】
前記状態移行指示情報は、ＭＡＣ  ＣＥと、前記ＭＡＣ  ＣＥの長さを指示するＬフィールドとを含み、
前記ＭＡＣ  ＣＥは、セカンダリセル系列を指示するための第１指示ビット列と、セカンダリセルの状態を指示するための第２指示ビット列とを含み、前記Ｍは、正の整数であり、前記ｉは、Ｍ以下の整数であり、前記第１指示ビット列は、少なくとも３ビットを含み、前記第２指示ビット列は、少なくとも２ビットを含み、
前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する、請求項３５に記載のネットワーク側機器。
【請求項４４】
セカンダリセルの状態が活性状態、非活性状態及び第３状態のうちの２つの状態の間で移行することを指示するための状態移行指示情報をネットワーク側機器から受信するための受信モジュールと、
前記状態移行指示情報に基づいてセカンダリセルの状態を移行するための移行モジュールとを含む、ユーザ端末ＵＥ。
【請求項４５】
前記状態移行指示情報は、Ｎ（正の整数）ビットのＭＡＣ  ＣＥを含み、
前記ＭＡＣ  ＣＥは、Ｍ（正の整数）個のセカンダリセル系列ビットＣｉ（ｉは、Ｍ以下の整数である）を含み、
前記Ｃｉの値は、前記Ｃｉに対応するセカンダリセルの状態が前記活性状態、前記非活性状態及び前記第３状態のうちの２つの状態の間で移行することを指示する、請求項４４に記載のＵＥ。
【請求項４６】
前記ＭＡＣ  ＣＥは、予約ビットＲをさらに含み、
前記の前記状態移行指示情報に基づいてセカンダリセルの状態を移行することは、
前記Ｒの値が第１所定値であれば、第２所定値を取るＣｉに対応するセカンダリセルの状態を前記第３状態に移行し、
前記Ｒの値が第３所定値であれば、第４所定値を取るＣｉに対応するセカンダリセルの状態を前記第３状態から前記活性状態又は前記非活性状態に移行することを含む、請求項４５に記載のＵＥ。
【請求項４７】
前記状態移行指示情報は、ＭＡＣ  ＣＥと、前記ＭＡＣ  ＣＥの長さを指示するＬフィールドとを含み、
前記ＭＡＣ  ＣＥは、少なくとも２つのフィールドを含み、各フィールドは、Ｎ（正の整数）ビットを含み、
ここで、前記ＭＡＣ  ＣＥの各フィールドは、Ｍ（正の整数）個のセカンダリセル系列ビットＣｉ（ｉは、Ｍ以下の整数である）を含み、
各フィールドにおける前記Ｃｉの値は、前記Ｃｉに対応するセカンダリセルの状態が前記活性状態、前記非活性状態及び前記第３状態のうちの２つの状態の間で移行することを指示する、請求項４４に記載のＵＥ。
【請求項４８】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項４４に記載のＵＥ。
【請求項４９】
前記状態移行指示情報は、セカンダリセルの状態を前記第３状態から前記活性状態又は前記非活性状態に移行することを指示するための第２ＭＡＣ  ＣＥをさらに含む、請求項４４に記載のＵＥ。
【請求項５０】
前記状態移行指示情報は、ＬＣＩＤと、Ｎ（正の整数）ビットのＭＡＣ  ＣＥとを含み、
前記ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項４４に記載のＵＥ。
【請求項５１】
前記状態移行指示情報は、ＬＣＩＤと、Ｎ（正の整数）ビットのＭＡＣ  ＣＥとを含み、
前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、
前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する、請求項４４に記載のＵＥ。
【請求項５２】
前記状態移行指示情報は、ＭＡＣ  ＣＥと、前記ＭＡＣ  ＣＥの長さを指示するＬフィールドとを含み、
前記ＭＡＣ  ＣＥは、セカンダリセル系列を指示するための第１指示ビット列と、セカンダリセルの状態を指示するための第２指示ビット列とを含み、前記Ｍは、正の整数であり、前記ｉは、Ｍ以下の整数であり、前記第１指示ビット列は、少なくとも３ビットを含み、前記第２指示ビット列は、少なくとも２ビットを含み、
前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する、請求項４４に記載のＵＥ。
【請求項５３】
メモリと、プロセッサと、前記メモリに記憶され、前記プロセッサで動作するコンピュータプログラムとを含むネットワーク側機器であって、
前記コンピュータプログラムが前記プロセッサによって実行されると、請求項１乃至１６のいずれか１項に記載のセカンダリセル状態指示方法のステップが実現される、ネットワーク側機器。
【請求項５４】
メモリと、プロセッサと、前記メモリに記憶され、前記プロセッサで動作するコンピュータプログラムとを含むユーザ端末ＵＥであって、
前記コンピュータプログラムが前記プロセッサによって実行されると、請求項１７乃至３４のいずれか１項に記載のセカンダリセル状態指示方法のステップが実現される、ユーザ端末ＵＥ。
【請求項５５】
コンピュータプログラムが記憶されているコンピュータ読み取り可能な記憶媒体であって、
前記コンピュータプログラムがプロセッサによって実行されると、請求項１乃至１６のいずれか１項に記載のセカンダリセル状態指示方法のステップが実現され、又は、請求項１７乃至３４のいずれか１項に記載のセカンダリセル状態指示方法のステップが実現される、コンピュータ読み取り可能な記憶媒体。
【発明の詳細な説明】
【技術分野】
【０００１】
本願は、２０１８年１月４日に中国特許庁に提出された中国特許出願２０１８１０００８８２７．５の優先権を主張し、その全ての内容が援用によりここに取り込まれる。
【０００２】
本開示は、通信技術分野に係り、特にセカンダリセル状態指示方法及び通信機器に係る。
【背景技術】
【０００３】
ロングタームエボリューション（Ｌｏｎｇ  Ｔｅｒｍ  Ｅｖｏｌｕｔｉｏｎ：ＬＴＥ）システムでは、キャリアアグリゲーション技術が導入されている。キャリアアグリゲーション技術では、１つのユーザ端末（Ｕｓｅｒ  Ｅｑｕｉｐｍｅｎｔ：ＵＥ）は、複数のサービングセルを通じてネットワークに接続して通信を行う。そのうち１つのサービングセルは、プライマリサービングセル（Ｐｒｉｍａｒｙ  Ｃｅｌｌ：ＰＣｅｌｌ）であり、他のサービングセルは、セカンダリサービングセル（Ｓｅｃｏｎｄａｒｙ  Ｃｅｌｌ：ＳＣｅｌｌ）である。ここでＳＣｅｌｌは、活性と非活性の２種類の状態を有するが、ＰＣｅｌｌは、活性状態のままである。
【０００４】
ＳＣｅｌｌの活性化／非活性化メカニズムとして、一般的には、活性化／非活性化ＭＡＣ制御要素（Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔ）又は非活性化タイマ（ｄｅａｃｔｉｖａｔｉｏｎ  ｔｉｍｅｒ）に基づいて実現される。上述したＳＣｅｌｌの活性化／非活性化メカニズムでは、活性状態と非活性状態との間の移行に大きな遅延が存在し、この遅延を低減するために、ＬＴＥでは、ＳＣｅｌｌの第３状態（ｎｅｗ  ｆａｓｔ  ＳＣｅｌｌ  ａｃｔｉｖａｔｉｏｎ  ｓｔａｔｅ（ＳＣｅｌｌ  ｎｅｗ  ｓｔａｔｅと略称する））が導入される。当業者は、この第３状態が、第３ステート、又は新規状態、又は当業者に知られている他の用語と呼ばれてもよいことを理解するが、用語自体が限定的なものではない。１つの場合において、この第３状態は、活性状態と非活性状態との間の状態として理解される。要するに、この第３状態では、セル参照信号（Ｃｅｌｌ  Ｒｅｆｅｒｅｎｃｅ  Ｓｉｇｎａｌ：ＣＲＳ）に基づく周期的チャネル品質指示（Ｃｈａｎｎｅｌ  Ｑｕａｌｉｔｙ  Ｉｎｄｉｃａｔｉｏｎ：ＣＱＩ）の報告が許容され、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）が傍受されない。
【０００５】
しかしながら、ＳＣｅｌｌの３つの状態間の移行をどのようにＭＡＣ  ＣＥによって制御するかに関して、まだ対応する解決策がない。このように、第３状態を導入した後は、上述したような対応する解決策がないため、通信システムの互換性が低いという問題があった。
【発明の概要】
【課題を解決するための手段】
【０００６】
第１方面において、本開示の実施例は、ネットワーク側機器に応用されるセカンダリセル状態指示方法を提供する。前記セカンダリセル状態指示方法において、セカンダリセルの状態が活性状態、非活性状態及び第３状態のうちの２つの状態の間で移行することを指示するための状態移行指示情報を設定するステップと、前記状態移行指示情報をユーザ端末ＵＥに送信するステップとを含む。
【０００７】
第２方面において、本開示の実施例は、ユーザ端末ＵＥに応用されるセカンダリセル状態指示方法を提供する。前記セカンダリセル状態指示方法において、セカンダリセルの状態が活性状態、非活性状態及び第３状態のうちの２つの状態の間で移行することを指示するための状態移行指示情報をネットワーク側機器から受信するステップと、前記状態移行指示情報に基づいてセカンダリセルの状態を移行するステップとを含む。
【０００８】
第３方面において、本開示の実施例は、セカンダリセルの状態が活性状態、非活性状態及び第３状態のうちの２つの状態の間で移行することを指示するための状態移行指示情報を設定するための設定モジュールと、前記状態移行指示情報をユーザ端末ＵＥに送信するための送信モジュールとを含む、ネットワーク側機器を提供する。
【０００９】
第４方面において、本開示の実施例は、セカンダリセルの状態が活性状態、非活性状態及び第３状態のうちの２つの状態の間で移行することを指示するための状態移行指示情報をネットワーク側機器から受信するための受信モジュールと、前記状態移行指示情報に基づいてセカンダリセルの状態を移行するための移行モジュールとを含む、ユーザ端末ＵＥを提供する。
【００１０】
第５方面において、本開示の実施例は、メモリと、プロセッサと、前記メモリに記憶され、前記プロセッサで動作するコンピュータプログラムとを含むネットワーク側機器を提供する。前記コンピュータプログラムが前記プロセッサによって実行されると、本開示の実施例におけるネットワーク側機器に対応するセカンダリセル状態指示方法のステップが実現される。
【００１１】
第６方面において、本開示の実施例は、メモリと、プロセッサと、前記メモリに記憶され、前記プロセッサで動作するコンピュータプログラムとを含むユーザ端末ＵＥを提供する。前記コンピュータプログラムが前記プロセッサによって実行されると、本開示の実施例におけるＵＥに対応するセカンダリセル状態指示方法のステップが実現される。
【００１２】
第７方面において、本開示の実施例は、コンピュータプログラムが記憶されているコンピュータ読み取り可能な記憶媒体を提供する。前記コンピュータプログラムがプロセッサによって実行されると、本開示の実施例におけるネットワーク側機器に対応するセカンダリセル状態指示方法のステップが実現される。
【００１３】
第８方面において、本開示の実施例は、コンピュータプログラムが記憶されているコンピュータ読み取り可能な記憶媒体を提供する。前記コンピュータプログラムがプロセッサによって実行されると、本開示の実施例におけるユーザ端末ＵＥに対応するセカンダリセル状態指示方法のステップが実現される。
【図面の簡単な説明】
【００１４】
本開示の実施例の技術手段をより明確に説明するために、本開示の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【００１５】
【図１】図１は、本開示の実施例におけるセカンダリセル状態指示システムの構造図である。
【図２】図２は、本開示の実施例におけるセカンダリセル状態指示方法のフローチャートである。
【図３】図３は、本開示の実施例における一種のセカンダリセルの状態を示す図面である。
【図４】図４は、本開示の実施例における一種のＭＡＣ  ＣＥのフォーマットを示す図面である。
【図５】図５は、本開示の実施例における別の種類のセカンダリセルの状態を示す図面である。
【図６】図６は、本開示の実施例における別の種類のＭＡＣ  ＣＥのフォーマットを示す図面である。
【図７】図７は、本開示の実施例における別の種類のＭＡＣ  ＣＥのフォーマットを示す図面である。
【図８】図８は、本開示の実施例における別の種類のセカンダリセルの状態を示す図面である。
【図９】図９は、本開示の実施例における別の種類のＭＡＣ  ＣＥのフォーマットを示す図面である。
【図１０】図１０は、本開示の実施例における別の種類のＭＡＣ  ＣＥのフォーマットを示す図面である。
【図１１】図１１は、本開示の実施例における別の種類のＭＡＣ  ＣＥのフォーマットを示す図面である。システムの構造図である。
【図１２】図１２は、本開示の実施例における別の種類のＭＡＣ  ＣＥのフォーマットを示す図面である。システムの構造図である。
【図１３】図１３は、本開示の実施例における一種のネットワーク側機器の構造図である。
【図１４】図１４は、本開示の実施例における一種のＵＥの構造図である。
【図１５】図１５は、本開示の実施例における別の種類のネットワーク側機器の構造図である。
【図１６】図１６は、本開示の実施例における一種のＵＥのハードウェア構造を示す図面である。
【発明を実施するための形態】
【００１６】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をすることなく為しえる全てのほかの実施例は、いずれも本開示の保護範囲に属するものである。
【００１７】
図１は、本開示の実施例におけるセカンダリセル状態指示システムの構造図である。図１に示すように、ユーザ端末（Ｕｓｅｒ  Ｅｑｕｉｐｍｅｎｔ：ＵＥ）１１とネットワーク側機器１２が含まれる。ここで、ＵＥ１１は、移動通信端末であり、たとえば携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例において、ＵＥ１１の具体的な種類を限定しない。上記ネットワーク側機器１２は、５Ｇのネットワーク側機器（例えば、ｇＮＢ、５Ｇ  ＮＲ  ＮＢ）、４Ｇのネットワーク側機器（例えば、ｅＮＢ）、又は、３Ｇのネットワーク側機器（例えば、ＮＢ）などである。なお、本開示の実施例において、ネットワーク側機器１２の具体的な種類を限定しない。
【００１８】
図２は、本開示の実施例におけるセカンダリセル状態指示方法のフローチャートである。図２に示すように、セカンダリセル状態指示方法において、セカンダリセルの状態が活性状態、非活性状態及び第３状態のうちの２つの状態の間で移行することを指示するための状態移行指示情報を、ネットワーク側機器が設定するステップ２０１と、前記状態移行指示情報を前記ネットワーク側機器からＵＥに送信するステップ２０２と、前記ネットワーク側機器から送信された状態移行指示情報を、前記ＵＥが受信するステップ２０３と、前記状態移行指示情報に基づいて、前記ＵＥがセカンダリセルの状態を移行するステップ２０４とを含む。
【００１９】
本開示の実施例において、ネットワーク側機器から状態移行指示情報を設定し、ＵＥは、ネットワーク側機器から送信されたこの状態移行指示情報を受信することにより、この状態移行指示情報に基づいてセカンダリセルの状態を移行することができる。ここで、セカンダリセルの状態は、活性状態、非活性状態及び第３状態のうちの２つの状態の間で移行する。
【００２０】
なお、本開示の実施例では、セカンダリセルの状態が活性状態、非活性状態及び第３状態のうちの２つの状態の間で移行することは、セカンダリセルの状態が状態移行指示情報に基づいて活性状態と第３状態の間で移行すること、又は、セカンダリセルの状態が状態移行指示情報に基づいて非活性状態と第３状態の間で移行すること、又は、セカンダリセルの状態が状態移行指示情報に基づいて活性状態、非活性状態及び第３状態のうちの２つの状態の間で所定の移行順で移行することを含む。
【００２１】
ここで、上記状態移行指示情報の具体的なフォーマット、及び、状態移行との対応関係は、プロトコル規約に基づくものであってもよいし、上位層に基づくものであってもよいが、本開示の実施例ではこれに対し限定しない。
【００２２】
なお、セカンダリセルの第３状態は、ＬＴＥシステムで導入される一種のセカンダリセル新規状態である。ＬＴＥシステムにおいてこの新規状態を導入するのは、セカンダリセルが非活性状態から活性状態に移行するまでの遅延が大きいためであり、この遅延を低減するために、この新規状態が導入されている。この新規状態は、ＬＴＥシステムにおいてｎｅｗ  ｆａｓｔ  ＳＣｅｌｌ  ａｃｔｉｖａｔｉｏｎ  ｓｔａｔｅとして定義され、略してＳＣｅｌｌ  ｎｅｗ  ｓｔａｔｅである。１つの場合において、このＳＣｅｌｌ  ｎｅｗ  ｓｔａｔｅは、活性状態と非活性状態との間の状態である。このＳＣｅｌｌ  ｎｅｗ  ｓｔａｔｅでは、状態移行にＬ１シグナリングを導入しないこと、ＣＲＳに基づく周期的ＣＱＩの報告を許容すること、ＰＤＣＣＨを傍受しないこと、このＳＣｅｌｌ  ｎｅｗ  ｓｔａｔｅと活性状態との間の移行、又はこのＳＣｅｌｌ  ｎｅｗ  ｓｔａｔｅと非活性状態との間の移行が、いずれもメディアアクセス制御（Ｍｅｄｉａ  Ａｃｃｅｓｓ  Ｃｏｎｔｒｏｌ：ＭＡＣ）制御要素（Ｃｏｎｔｒｏｌ  Ｅｌｅｍｅｎｔ：ＣＥ）によって制御されることが同意されている。
【００２３】
また、将来の通信システム、例えば、第５世代移動通信技術（５ｔｈ−ｇｅｎｅｒａｔｉｏｎ：５Ｇ）の新規無線（Ｎｅｗ  Ｒａｄｉｏ：ＮＲ）において、この第３状態は、第３ステート、又は新規状態、又は当業者に知られている他の用語で呼ばれてもよく、本開示の実施例ではこれに対し限定しないことが、当業者に理解される。
【００２４】
本開示の実施例では、第３状態が導入された後に、状態移行指示情報を設定して、セカンダリセルの状態が活性状態、非活性状態及び第３状態のうちの２つの状態の間で移行することを指示することによって、セカンダリセルが活性状態と非活性状態との間で移行する際に生じる遅延を低減することができるとともに、第３状態を導入した後の通信システムの互換性を向上させることができる。
【００２５】
以下、本開示の実施例の技術手段をより明確に理解するために、本開示の各実施例を、複数の可能な状態指示情報を例としてそれぞれ具体的に記載する。
【００２６】
ネットワーク側から設定された状態移行指示情報は、Ｎ（正の整数）ビットのＭＡＣＣＥを含み、ＭＡＣ  ＣＥは、Ｍ（正の整数）個のセカンダリセル系列ビットＣｉ（ｉは、Ｍ以下の整数である）を含む。ここで、ｉは、Ｍ以下の任意の整数である。
【００２７】
本実施例において、Ｃｉの値は、前記Ｃｉに対応するセカンダリセルの状態が前記活性状態、前記非活性状態及び前記第３状態のうちの２つの状態の間で移行することを指示する。
【００２８】
選択可能に、前記ＭＡＣ  ＣＥは、予約ビットＲをさらに含む。このように、Ｒの値及びＣｉの値は、前記Ｃｉに対応するセカンダリセルの状態が前記活性状態、前記非活性状態及び前記第３状態のうちの２つの状態の間で移行することを指示する。前記Ｒの値が第１所定値であれば、第２所定値を取るＣｉに対応するセカンダリセルの状態を前記第３状態に移行することを指示し、前記Ｒの値が第３所定値であれば、第４所定値を取るＣｉに対応するセカンダリセルの状態を前記第３状態から前記活性状態又は前記非活性状態に移行することを指示し、前記Ｒの値が第５所定値であれば、第６所定値を取るＣｉに対応するセカンダリセルの状態を、現在の状態から所定の移行順に従って次の状態に移行することを指示する。
【００２９】
想定１：予約ビットＲの値を「１」とし、且つ対応するＣｉの値を「１」とし、同時の既存（ｌｅｇａｃｙ）ＬＣＩＤ及びｌｅｇａｃｙ  ＭＡＣ  ＣＥがない場合、対応するセカンダリセルを第３状態に移行することを指示する。予約ビットＲの値を「１」とし、且つ対応するＣｉの値を「０」とする場合、対応するセカンダリセルを第３状態から活性状態又は非活性状態に移行することを指示する。
【００３０】
対応するセカンダリセルを第３状態から活性状態に移行するか、それとも非活性状態に移行するかは、ネットワーク側機器からｌｅｇａｃｙ  ＭＡＣ  ＣＥを設定することによって指示される。ｌｅｇａｃｙ  ＭＡＣ  ＣＥを用いて活性状態と非活性状態を指示することは、従来技術によって実現される。従って、本実施例において、これに対し具体的に記載しない。
【００３１】
以下、想定１について、８キャリア１バイトのＭＡＣ  ＣＥフォーマットで例示的に説明する。
【００３２】
例えば、各セカンダリセルの初期状態が図３に示され、ＭＡＣ  ＣＥフォーマットが図４に示されているとすると、想定１に基づいて、各セカンダリセルの移行状態は、図５に示される。図５に示す各セカンダリセルの状態に加えて、ＭＡＣ  ＣＥフォーマットが図６及び図７に示されているとすると、想定１に基づき、各セカンダリセルの移行状態は、図８に示される。
【００３３】
想定２：予約ビットＲの値を「１」とし、且つ対応するＣｉの値を「１」とすると、対応するセカンダリセルが現在の状態から次の状態に所定の移行順で移行することを指示したり、予約ビットＲの値を「１」とし、且つ対応するＣｉの値を「０」とすると、対応するセカンダリセルが現在の状態から次の状態に所定の移行順で移行することを指示したりする。
【００３４】
上記で想定した技術手段は、８キャリア１バイトのＭＡＣ  ＣＥフォーマットにも３２キャリア４バイトのＭＡＣ  ＣＥフォーマットにも適用可能であり、本実施例ではこれに対し限定しない。
【００３５】
なお、本実施例は、上記で想定した技術手段に限定されるものではなく、他の可能な技術手段は、全て本実施例に適用することができる。
【００３６】
ネットワーク側から設定された状態移行指示情報は、ＭＡＣ  ＣＥと、前記ＭＡＣ  ＣＥの長さを指示するＬフィールドとを含み、前記ＭＡＣ  ＣＥは、少なくとも２つのフィールドを含み、各フィールドは、Ｎ（正の整数）ビットを含む。ここで、前記ＭＡＣ  ＣＥの各フィールドは、Ｍ（正の整数）個のセカンダリセル系列ビットＣｉ（ｉは、Ｍ以下の整数である）を含む。
【００３７】
本実施例において、各フィールドにおけるＣｉの値は、前記Ｃｉに対応するセカンダリセルの状態が前記活性状態、前記非活性状態及び前記第３状態のうちの２つの状態の間で移行することを指示する。
【００３８】
選択可能に、前記ＭＡＣ  ＣＥの各フィールドは、予約ビットＲをさらに含む。このように、Ｒの値及びＣｉの値は、前記Ｃｉに対応するセカンダリセルの状態が前記活性状態、前記非活性状態及び前記第３状態のうちの２つの状態の間で移行することを指示する。各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行することを指示する。各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行することを指示する。各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することを指示する。
【００３９】
対応して、ＵＥが前記状態移行指示情報に基づいてセカンダリセルの状態を移行するステップは、前記Ｒの値が第１所定値であれば、第２所定値を取るＣｉに対応するセカンダリセルの状態を前記第３状態に移行すること、前記Ｒの値が第３所定値であれば、第４所定値を取るＣｉに対応するセカンダリセルの状態を前記第３状態から前記活性状態又は前記非活性状態に移行すること、前記Ｒの値が第５所定値であれば、第６所定値を取るＣｉに対応するセカンダリセルの状態を、現在の状態から所定の移行順に従って次の状態に移行することを含む。
【００４０】
例えば、ＭＡＣ  ＣＥは、図９に示すように、２つのフィールドＬ１、Ｌ２を含む。
【００４１】
想定１：Ｌ１、Ｌ２の予約ビットＲの値を共に「１」とし、且つＬ１、Ｌ２の同じ位置のＣｉの値が同じであれば、対応するセカンダリセルを第３状態に移行させ、ほかのセカンダリセルの状態をそのままにすることを指示する。又は、Ｌ１、Ｌ２の予約ビットＲの値を共に「１」とし、且つＬ１、Ｌ２の同じ位置のＣｉの値が同じでなければ、対応するセカンダリセルを第３状態に移行させ、他のセカンダリセルの状態をそのままにすることを指示する。
【００４２】
Ｌ１、Ｌ２における予約ビットＲの値をそれぞれ「１」、「０」とし、又は「０」、「１」とし、又は「０」、「０」とし、且つＬ１、Ｌ２における同じ位置のＣｉの値が同じである場合、対応するセカンダリセルを第３状態から移行させ、ほかのセカンダリセルの状態をそのままにすることを指示する。又は、Ｌ１、Ｌ２における予約ビットＲの値をそれぞれ「１」、「０」とし、又は「０」、「１」とし、又は「０」、「０」とし、且つＬ１、Ｌ２における同じ位置のＣｉの値が同じでない場合、対応するセカンダリセルを第３状態から移行させ、ほかのセカンダリセルの状態をそのままにすることを指示する。
【００４３】
対応するセカンダリセルを第３状態から移行させることについて、第３状態から活性状態に移行させるか、それとも第３状態から非活性状態に移行させるかは、ネットワーク側機器からｌｅｇａｃｙ  ＭＡＣ  ＣＥを設定して指示される。ｌｅｇａｃｙ  ＭＡＣ  ＣＥによる活性状態及び非活性状態の指示は、従来技術で実現できるので、本実例ではこれに対し具体的に記載しない。
【００４４】
想定２：Ｌ１、Ｌ２の予約ビットＲの値が共に「１」で、且つＬ１、Ｌ２の同じ位置のＣｉの値が同じであれば、対応するセカンダリセルを現在の状態から次の状態に所定の移行順で移行させることを指示する。又は、Ｌ１、Ｌ２の予約ビットＲの値が共に「１」で、且つＬ１、Ｌ２の同じ位置のＣｉの値が同じでなければ、対応するセカンダリセルを現在の状態から次の状態に所定の移行順で移行させることを指示する。
【００４５】
Ｌ１、Ｌ２における予約ビットＲの値がそれぞれ「１」、「０」、又は「０」、「１」、又は「０」、「０」であり、且つＬ１、Ｌ２における同じ位置のＣｉの値が同じである場合、対応するセカンダリセルを現在の状態から次の状態に所定の移行順で移行させることを指示する。又は、Ｌ１、Ｌ２における予約ビットＲの値がそれぞれ「１」、「０」、又は「０」、「１」、又は「０」、「０」であり、且つＬ１、Ｌ２における同じ位置のＣｉの値が同じでない場合、対応するセカンダリセルを現在の状態から次の状態に所定の移行順で移行させることを指示する。
【００４６】
上記で想定した技術手段は、８キャリア１バイトのＭＡＣ  ＣＥフォーマットにも３２キャリア４バイトのＭＡＣ  ＣＥフォーマットにも適用可能であり、本実施例ではこれに対し限定しない。
【００４７】
なお、本実施例は、上記で想定した技術手段に限定されるものではなく、他の可能な技術手段は、全て本実施例に適用することができる。
【００４８】
ネットワーク側から設定された状態移行指示情報は、論理チャネル識別子（Ｌｏｇｉｃａｌ  Ｃｈａｎｎｅｌ  Ｉｄｅｎｔｉｆｙ：ＬＣＩＤ）と、Ｎビット（正の整数）の第１ＭＡＣ  ＣＥとを含む。ここで、前記第１ＭＡＣ  ＣＥは、Ｍ（前記Ｎ以下の正の整数）個のセカンダリセル系列ビットＣｉ（ｉは、Ｍ以下の整数である）を含む。
【００４９】
本実施例において、ＬＣＩＤの値及びＣｉの値は、前記Ｃｉに対応するセカンダリセルの状態が前記活性状態、前記非活性状態及び前記第３状態のうちの２つの状態の間で移行することを指示する。
【００５０】
選択可能に、前記ＬＣＩＤの値が第１所定値であれば、第２所定値を取るＣｉに対応するセカンダリセルの状態を前記第３状態に移行することを指示し、前記ＬＣＩＤの値が第３所定値であれば、第４所定値を取るＣｉに対応するセカンダリセルの状態を前記第３状態から移行させることを指示し、前記ＬＣＩＤの値が第５所定値であれば、第６所定値を取るＣｉに対応するセカンダリセルの状態を、現在の状態から所定の移行順に従って次の状態に移行することを指示する。
【００５１】
さらに、前記状態移行指示情報は、セカンダリセルの状態を前記第３状態から前記活性状態又は前記非活性状態に移行することを指示するための第２ＭＡＣ  ＣＥをさらに含む。
【００５２】
対応して、ＵＥが前記状態移行指示情報に基づいてセカンダリセルの状態を移行するステップは、前記ＬＣＩＤの値が第１所定値であれば、第２所定値を取るＣｉに対応するセカンダリセルの状態を前記活性状態に移行すること、前記ＬＣＩＤの値が第３所定値であれば、第４所定値を取るＣｉに対応するセカンダリセルの状態を前記第３状態から移行させること、前記ＬＣＩＤの値が第５所定値であれば、第６所定値を取るＣｉに対応するセカンダリセルの状態を、所定の移行順に従って現在の状態から次の状態に移行することを含む。
【００５３】
さらに、ＵＥは、第２ＭＡＣ  ＣＥに基づいて、セカンダリセルの状態を前記第３状態から前記活性状態又は前記非活性状態に移行させる。
【００５４】
本実施例において、ＬＣＩＤは、表１に示される。
【００５５】
【表１】
2021510252.tif 000003
【００５６】
想定１：ＬＣＩＤの値を「ｘｘｘｘｘ」又は「ｘｘｘｘｘｘ」とし、且つ第１ＭＡＣ  ＣＥにおけるＣｉの値を「１」とすると、対応するセカンダリセルを第３状態に移行させ、ほかのセカンダリセルの状態をそのままにすることを指示する。ＬＣＩＤの値を「ｙｙｙｙｙ」又は「ｙｙｙｙｙｙ」とし、且つ第１ＭＡＣ  ＣＥにおけるＣｉの値を「１」とすると、対応するセカンダリセルを第３状態から移行させ、ほかのセカンダリセルの状態をそのままにすることを指示する。
【００５７】
想定２：ＬＣＩＤの値を「ｘｘｘｘｘ」又は「ｘｘｘｘｘｘ」とし、且つ第１ＭＡＣ  ＣＥにおけるＣｉの値を「０」とすると、対応するセカンダリセルを第３状態に移行させ、ほかのセカンダリセルの状態をそのままにすることを指示する。ＬＣＩＤの値を「ｙｙｙｙｙ」又は「ｙｙｙｙｙｙ」とし、且つ第１ＭＡＣ  ＣＥにおけるＣｉの値を「０」とすると、対応するセカンダリセルを第３状態から移行させ、ほかのセカンダリセルの状態をそのままにすることを指示する。
【００５８】
想定３：ＬＣＩＤの値を「ｘｘｘｘｘ」又は「ｘｘｘｘｘｘ」とし、且つ第１ＭＡＣ  ＣＥにおけるＣｉの値を「１」とすると、対応するセカンダリセルを第３状態に移行させ、ほかのセカンダリセルの状態をそのままにすることを指示する。ＬＣＩＤの値を「ｙｙｙｙｙ」又は「ｙｙｙｙｙｙ」とし、且つ第１ＭＡＣ  ＣＥにおけるＣｉの値を「０」とすると、対応するセカンダリセルを第３状態から移行させ、ほかのセカンダリセルの状態をそのままにすることを指示する。
【００５９】
想定４：ＬＣＩＤの値を「ｘｘｘｘｘ」又は「ｘｘｘｘｘｘ」とし、且つ第１ＭＡＣ  ＣＥにおけるＣｉの値を「０」とすると、対応するセカンダリセルを第３状態に移行させ、ほかのセカンダリセルの状態をそのままにすることを指示する。ＬＣＩＤの値を「ｙｙｙｙｙ」又は「ｙｙｙｙｙｙ」とし、且つ第１ＭＡＣ  ＣＥにおけるＣｉの値を「１」とすると、対応するセカンダリセルを第３状態から移行させ、ほかのセカンダリセルの状態をそのままにすることを指示する。
【００６０】
上記の想定では、対応するセカンダリセルを第３状態から移行させることについて、第３状態から活性状態に移行させるか、それとも第３状態から非活性状態に移行させるかは、ネットワーク側機器から第２ＭＡＣ  ＣＥを設定して指示される。第２ＭＡＣ  ＣＥによる活性状態及び非活性状態の指示は、従来技術で実現できるので、本実例ではこれに対し具体的に記載しない。
【００６１】
想定５：ＬＣＩＤの値を「ｘｘｘｘｘ」又は「ｘｘｘｘｘｘ」、又は、「ｙｙｙｙｙ」又は「ｙｙｙｙｙｙ」とし、且つ第１ＭＡＣ  ＣＥにおけるＣｉの値を「１」とすると、対応するセカンダリセルを現在の状態から次の状態に所定の移行順で移行させることを指示する。
【００６２】
想定６：ＬＣＩＤの値を「ｘｘｘｘｘ」又は「ｘｘｘｘｘｘ」、又は、「ｙｙｙｙｙ」又は「ｙｙｙｙｙｙ」とし、且つ第１ＭＡＣ  ＣＥにおけるＣｉの値を「０」とすると、対応するセカンダリセルを現在の状態から次の状態に所定の移行順で移行させることを指示する。
【００６３】
上記で想定した技術手段は、８キャリア１バイトのＭＡＣ  ＣＥフォーマットにも３２キャリア４バイトのＭＡＣ  ＣＥフォーマットにも適用可能であり、本実施例ではこれに対し限定しない。
【００６４】
なお、本実施例は、上記で想定した技術手段に限定されるものではなく、他の可能な技術手段は、全て本実施例に適用することができる。
【００６５】
ネットワーク側から設定された状態移行指示情報は、論理チャネル識別子（Ｌｏｇｉｃａｌ  Ｃｈａｎｎｅｌ  Ｉｄｅｎｔｉｆｙ：ＬＣＩＤ）と、Ｎ（正の整数）ビットのＭＡＣ  ＣＥとを含む。ここで、前記ＭＡＣ  ＣＥは、Ｍ（前記Ｎ以下の正の整数）個のセカンダリセル系列ビットＣｉ（ｉは、Ｍ以下の整数である）を含む。
【００６６】
本実施例において、前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【００６７】
選択可能に、前記ＬＣＩＤの値が第１所定値であれば、第２所定値を取るＣｉに対応する前記第３状態のセカンダリセルの状態を前記活性状態に移行することを指示する。前記ＬＣＩＤの値が第３所定値であれば、第４所定値を取るＣｉに対応する前記第３状態のセカンダリセルの状態を前記非活性状態に移行することを指示する。前記ＬＣＩＤの値が第５所定値であれば、第６所定値を取るＣｉに対応する前記第３状態のセカンダリセルの状態を、所定の移行順に従って次の状態に移行することを指示する。
【００６８】
対応して、ＵＥが前記状態移行指示情報に基づいてセカンダリセルの状態を移行するステップは、前記ＬＣＩＤの値が第１所定値であれば、第２所定値を取るＣｉに対応する前記第３状態のセカンダリセルの状態を前記活性状態に移行すること、前記ＬＣＩＤの値が第３所定値であれば、第４所定値を取るＣｉに対応する前記第３状態のセカンダリセルの状態を前記非活性状態に移行すること、前記ＬＣＩＤの値が第５所定値であれば、第６所定値を取るＣｉに対応する前記第３状態のセカンダリセルの状態を、所定の移行順に従って次の状態に移行することを含む。
【００６９】
本実施例において、ＬＣＩＤは、表１に示されるものであってもよい。
【００７０】
本実施例は、第３状態から移行させるようにＬＣＩＤによって指示されると、その後のＭＡＣ  ＣＥが現在第３状態であるセカンダリセルのみに有効であるという点で、実施例３とは異なる。
【００７１】
想定１：ＬＣＩＤの値を「ｙｙｙｙｙ」又は「ｙｙｙｙｙｙ」とし、且つＭＡＣ  ＣＥにおいて第３状態のＣｉが「１」であると、対応するセカンダリセルを第３状態から活性状態に移行させることを指示し、ＬＣＩＤの値を「ｙｙｙｙｙ」又は「ｙｙｙｙｙｙ」とし、且つＭＡＣ  ＣＥにおいて第３状態のＣｉが「０」であると、対応するセカンダリセルを第３状態から非活性状態に移行させることを指示し、第３状態ではないセカンダリセルに対応するＣｉを無視する。
【００７２】
想定２：ＬＣＩＤの値を「ｘｘｘｘｘ」又は「ｘｘｘｘｘｘ」、又は、「ｙｙｙｙｙ」又は「ｙｙｙｙｙｙ」とし、且つＭＡＣ  ＣＥにおいてＣｉの値を「１」とすると、対応するセカンダリセルを現在の状態から次の状態に所定の移行順で移行させることを指示する。
【００７３】
想定３：ＬＣＩＤの値を「ｘｘｘｘｘ」又は「ｘｘｘｘｘｘ」、又は、「ｙｙｙｙｙ」又は「ｙｙｙｙｙｙ」とし、且つＭＡＣ  ＣＥにおいてＣｉの値を「０」とすると、対応するセカンダリセルを現在の状態から次の状態に所定の移行順で移行させることを指示する。
【００７４】
上記で想定した技術手段は、８キャリア１バイトのＭＡＣ  ＣＥフォーマットにも３２キャリア４バイトのＭＡＣ  ＣＥフォーマットにも適用可能であり、本実施例ではこれに対し限定しない。
【００７５】
なお、本実施例は、上記で想定した技術手段に限定されるものではなく、他の可能な技術手段は、全て本実施例に適用することができる。
【００７６】
ネットワーク側から設定された状態移行指示情報は、ＬＣＩＤと、Ｎ（正の整数）ビットのＭＡＣ  ＣＥとを含む。ここで、前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含む。本実施例において、前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する。
【００７７】
対応して、ＵＥが前記状態移行指示情報に基づいてセカンダリセルの状態を移行するステップは、前記Ｃｉに含まれる前記Ｘビットの値が、前記Ｃｉに対応するセカンダリセルの状態を前記第３状態に移行することを指示するための値であれば、前記Ｃｉに対応するセカンダリセルの状態を前記第３状態に移行すること、前記Ｃｉに含まれる前記Ｘビットの値が、前記Ｃｉに対応するセカンダリセルの状態を前記活性状態に移行することを指示するための値であれば、前記Ｃｉに対応するセカンダリセルの状態を前記活性状態に移行すること、前記Ｃｉに含まれる前記Ｘビットの値が、前記Ｃｉに対応するセカンダリセルの状態を前記非活性状態に移行することを指示するための値であれば、前記Ｃｉに対応するセカンダリセルの状態を前記非活性状態に移行することを含む。
【００７８】
本実施例では、セカンダリセルの状態を制御するために、新たなＬＣＩＤ（例えば、ＬＣＩＤは表２に示される）を定義して、対応するＭＡＣ  ＣＥ（例えば、ＭＡＣ  ＣＥは図１０又は図１１に示される）を指示してもよい。
【００７９】
【表２】
2021510252.tif 000004
【００８０】
想定１：表３に示される。
【表３】
2021510252.tif 000005
【００８１】
想定２：表４に示される。
【表４】
2021510252.tif 000006
【００８２】
上記で想定した技術手段は、８キャリア１バイトのＭＡＣ  ＣＥフォーマットにも３２キャリア４バイトのＭＡＣ  ＣＥフォーマットにも適用可能であり、本実施例ではこれに対し限定しない。
【００８３】
なお、本実施例は、上記で想定した技術手段に限定されるものではなく、他の可能な技術手段は、全て本実施例に適用することができる。
【００８４】
ネットワーク側から設定された状態移行指示情報は、ＭＡＣ  ＣＥと、前記ＭＡＣ  ＣＥの長さを指示するＬフィールドとを含む。ここで、前記ＭＡＣ  ＣＥは、セカンダリセル系列を指示するための第１指示ビット列と、セカンダリセルの状態を指示するための第２指示ビット列とを含む。前記Ｍは、正の整数であり、前記ｉは、Ｍ以下の整数である。前記第１指示ビット列は、少なくとも３ビットを含み、前記第２指示ビット列は、少なくとも２ビットを含む。
【００８５】
本実施例において、前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する。
【００８６】
対応して、ＵＥが前記状態移行指示情報に基づいてセカンダリセルの状態を移行するステップは、前記第２指示ビット列の値が、セカンダリセルの状態を前記第３状態に移行することを指示するための値であれば、前記第１指示ビット列の値に対応するセカンダリセルの状態を前記第３状態に移行すること、前記第２指示ビット列の値が、セカンダリセルの状態を前記活性状態に移行することを指示するための値であれば、前記第１指示ビット列の値に対応するセカンダリセルの状態を前記活性状態に移行すること、前記第２指示ビット列の値が、セカンダリセルの状態を前記非活性状態に移行することを指示するための値であれば、前記第１指示ビット列の値に対応するセカンダリセルの状態を前記非活性状態に移行することを含む。
【００８７】
本実施例において、１つ又は複数のセカンダリセルの状態を制御するために、新たなＬＣＩＤ（例えば、ＬＣＩＤは表２に示される）を定義して、対応するＭＡＣ  ＣＥを指示し、ＭＡＣ  ＣＥの長さをＬフィールドで指示する。
【００８８】
ＭＡＣ  ＣＥのフォーマットは、図１２に示すようにしてもよい。そのうち、図１２に示す「Ｓｃｅｌｌインデックス」（Ｓｃｅｌｌ  ｉｎｄｅｘ）は、セカンダリセル系列を指示するための第１指示ビット列を表し、「Ｓｃｅｌｌ状態」（Ｓｃｅｌｌ  ｓｔａｔｅ）は、セカンダリセルの状態を指示するための第２指示ビット列を表す。上記各ＭＡＣ  ＣＥのフォーマットにおいて、Ｒビットの位置は、一例である。選択可能に、「Ｓｃｅｌｌインデックス」は、３ビットを占め、「Ｓｃｅｌｌ状態」は、２ビットを占める。
【００８９】
上記で想定した技術手段は、８キャリア１バイトのＭＡＣ  ＣＥフォーマットにも３２キャリア４バイトのＭＡＣ  ＣＥフォーマットにも適用可能であり、本実施例ではこれに対し限定しない。
【００９０】
なお、本実施形態は、上記の技術手段に限定されず、他の可能な技術手段は、全て本実施例に適用することができる。
【００９１】
以上をまとめると、本開示の実施例では、セカンダリセルの状態が活性状態、非活性状態及び第３状態のうちの２つの状態間で移行することを指示するための状態移行指示情報を設定することによって、従来技術に存在する上記問題点を解決した。
【００９２】
図１３は、本開示の実施例におけるネットワーク側機器の構造図である。図１３に示すように、ネットワーク側機器７００は、セカンダリセルの状態が活性状態、非活性状態及び第３状態のうちの２つの状態の間で移行することを指示するための状態移行指示情報を設定するための設定モジュール７０１と、前記状態移行指示情報をユーザ端末ＵＥに送信するための送信モジュール７０２とを含む。
【００９３】
選択可能に、前記状態移行指示情報は、Ｎ（正の整数）ビットのメディアアクセス制御ＭＡＣ制御要素ＣＥを含み、ＭＡＣ  ＣＥは、Ｍ（正の整数）個のセカンダリセル系列ビットＣｉ（ｉは、Ｍ以下の整数である）を含み、前記Ｃｉの値は、前記Ｃｉに対応するセカンダリセルの状態が前記活性状態、前記非活性状態及び前記第３状態のうちの２つの状態の間で移行することを指示する。
【００９４】
選択可能に、前記ＭＡＣ  ＣＥは、予約ビットＲをさらに含み、前記Ｒの値が第１所定値であれば、第２所定値を取るＣｉに対応するセカンダリセルの状態を前記第３状態に移行することを指示し、前記Ｒの値が第３所定値であれば、第４所定値を取るＣｉに対応するセカンダリセルの状態を前記第３状態から前記活性状態又は前記非活性状態に移行することを指示し、前記Ｒの値が第５所定値であれば、第６所定値を取るＣｉに対応するセカンダリセルの状態を、現在の状態から所定の移行順に従って次の状態に移行することを指示する。
【００９５】
選択可能に、前記状態移行指示情報は、ＭＡＣ  ＣＥと、前記ＭＡＣ  ＣＥの長さを指示するＬフィールドとを含む。ここで、前記ＭＡＣ  ＣＥは、少なくとも２つのフィールドを含み、各フィールドは、Ｎ（正の整数）ビットを含む。ここで、前記ＭＡＣ  ＣＥの各フィールドは、Ｍ（正の整数）個のセカンダリセル系列ビットＣｉ（ｉは、Ｍ以下の整数である）を含む。各フィールドにおける前記Ｃｉの値は、前記Ｃｉに対応するセカンダリセルの状態が前記活性状態、前記非活性状態及び前記第３状態のうちの２つの状態の間で移行することを指示する。
【００９６】
選択可能に、前記ＭＡＣ  ＣＥの各フィールドは、予約ビットＲをさらに含む。各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行することを指示する。各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行することを指示する。各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することを指示する。
【００９７】
選択可能に、前記状態移行指示情報は、論理チャネル識別子ＬＣＩＤと、Ｎビット（正の整数）の第１ＭＡＣ  ＣＥとを含む。前記第１ＭＡＣ  ＣＥは、Ｍ（前記Ｎ以下の正の整数）個のセカンダリセル系列ビットＣｉ（ｉは、Ｍ以下の整数である）を含む。前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【００９８】
選択可能に、前記ＬＣＩＤの値が第１所定値であれば、第２所定値を取るＣｉに対応するセカンダリセルの状態を前記第３状態に移行することを指示し、前記ＬＣＩＤの値が第３所定値であれば、第４所定値を取るＣｉに対応するセカンダリセルの状態を前記第３状態から移行させることを指示し、前記ＬＣＩＤの値が第５所定値であれば、第６所定値を取るＣｉに対応するセカンダリセルの状態を、現在の状態から所定の移行順に従って次の状態に移行することを指示する。
【００９９】
選択可能に、前記状態移行指示情報は、セカンダリセルの状態を前記第３状態から前記活性状態又は前記非活性状態に移行することを指示するための第２ＭＡＣ  ＣＥをさらに含む。
【０１００】
選択可能に、前記状態移行指示情報は、ＬＣＩＤと、Ｎ（正の整数）ビットのＭＡＣ  ＣＥとを含む。前記ＭＡＣ  ＣＥは、Ｍ（前記Ｎ以下の正の整数）個のセカンダリセル系列ビットＣｉ（ｉは、Ｍ以下の整数である）を含む。前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１０１】
選択可能に、前記ＬＣＩＤの値が第１所定値であれば、第２所定値を取るＣｉに対応する前記第３状態のセカンダリセルの状態を前記活性状態に移行することを指示する。前記ＬＣＩＤの値が第３所定値であれば、第４所定値を取るＣｉに対応する前記第３状態のセカンダリセルの状態を前記非活性状態に移行することを指示。前記ＬＣＩＤの値が第５所定値であれば、第６所定値を取るＣｉに対応する前記第３状態のセカンダリセルの状態を、所定の移行順に従って次の状態に移行することを指示する。
【０１０２】
選択可能に、前記状態移行指示情報は、ＬＣＩＤと、Ｎ（正の整数）ビットのＭＡＣ  ＣＥとを含む。前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含む。前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する。
【０１０３】
選択可能に、前記状態移行指示情報は、ＭＡＣ  ＣＥと、前記ＭＡＣ  ＣＥの長さを指示するＬフィールドとを含む。前記ＭＡＣ  ＣＥは、セカンダリセル系列を指示するための第１指示ビット列と、セカンダリセルの状態を指示するための第２指示ビット列とを含む。前記Ｍは、正の整数であり、前記ｉは、Ｍ以下の整数である。前記第１指示ビット列は、少なくとも３ビットを含み、前記第２指示ビット列は、少なくとも２ビットを含む。前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する。
【０１０４】
なお、本開示の実施例において、上記ネットワーク側機器７００は、方法実施例における任意の実施形態のネットワーク側機器であってもよく、方法実施例におけるネットワーク側機器の任意の実施形態を、本開示の実施例における上記ネットワーク側機器７００によって実現することができ、同じ効果を奏することもできるので、重複を避けるために、ここでは繰り返して説明しない。
【０１０５】
図１４は、本開示の実施例におけるユーザ端末ＵＥの構造図である。図１４に示すように、ＵＥ８００は、セカンダリセルの状態が活性状態、非活性状態及び第３状態のうちの２つの状態の間で移行することを指示するための状態移行指示情報をネットワーク側機器から受信するための受信モジュール８０１と、前記状態移行指示情報に基づいてセカンダリセルの状態を移行するための移行モジュール８０２とを含む。
【０１０６】
選択可能に、前記状態移行指示情報は、Ｎ（正の整数）ビットのＭＡＣ  ＣＥを含み、前記ＭＡＣ  ＣＥは、Ｍ（正の整数）個のセカンダリセル系列ビットＣｉ（ｉは、Ｍ以下の整数である）を含み、前記Ｃｉの値は、前記Ｃｉに対応するセカンダリセルの状態が前記活性状態、前記非活性状態及び前記第３状態のうちの２つの状態の間で移行することを指示する。
【０１０７】
選択可能に、前記ＭＡＣ  ＣＥは、予約ビットＲをさらに含む。前記移行モジュール８０２は、具体的に、前記Ｒの値が第１所定値であれば、第２所定値を取るＣｉに対応するセカンダリセルの状態を前記第３状態に移行し、前記Ｒの値が第３所定値であれば、第４所定値を取るＣｉに対応するセカンダリセルの状態を前記第３状態から前記活性状態又は前記非活性状態に移行し、前記Ｒの値が第５所定値であれば、第６所定値を取るＣｉに対応するセカンダリセルの状態を、現在の状態から所定の移行順に従って次の状態に移行することに用いられる。
【０１０８】
選択可能に、前記状態移行指示情報は、ＭＡＣ  ＣＥと、前記ＭＡＣ  ＣＥの長さを指示するＬフィールドとを含む。前記ＭＡＣ  ＣＥは、少なくとも２つのフィールドを含み、各フィールドは、Ｎ（正の整数）ビットを含む。ここで、前記ＭＡＣ  ＣＥの各フィールドは、Ｍ（正の整数）個のセカンダリセル系列ビットＣｉ（ｉは、Ｍ以下の整数である）を含む。各フィールドにおける前記Ｃｉの値は、前記Ｃｉに対応するセカンダリセルの状態が前記活性状態、前記非活性状態及び前記第３状態のうちの２つの状態の間で移行することを指示する。
【０１０９】
選択可能に、前記ＭＡＣ  ＣＥの各フィールドは、予約ビットＲをさらに含む。移行モジュール８０２は、具体的に、各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行すること、各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行すること、各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することに用いられる。
【０１１０】
選択可能に、前記状態移行指示情報は、論理チャネル識別子ＬＣＩＤと、Ｎビット（正の整数）の第１ＭＡＣ  ＣＥとを含む。前記第１ＭＡＣ  ＣＥは、Ｍ（前記Ｎ以下の正の整数）個のセカンダリセル系列ビットＣｉ（ｉは、Ｍ以下の整数である）を含む。前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１１１】
選択可能に、前記移行モジュール８０２は、具体的に、前記ＬＣＩＤの値が第１所定値であれば、第２所定値を取るＣｉに対応するセカンダリセルの状態を前記第３状態に移行すること、前記ＬＣＩＤの値が第３所定値であれば、第４所定値を取るＣｉに対応するセカンダリセルの状態を前記第３状態から移行させること、前記ＬＣＩＤの値が第５所定値であれば、第６所定値を取るＣｉに対応するセカンダリセルの状態を、現在の状態から所定の移行順に従って次の状態に移行することに用いられる。
【０１１２】
選択可能に、前記状態移行指示情報は、セカンダリセルの状態を前記第３状態から前記活性状態又は前記非活性状態に移行することを指示するための第２ＭＡＣ  ＣＥをさらに含む。
【０１１３】
選択可能に、前記状態移行指示情報は、ＬＣＩＤと、Ｎ（正の整数）ビットのＭＡＣ  ＣＥとを含む。前記ＭＡＣ  ＣＥは、Ｍ（前記Ｎ以下の正の整数）個のセカンダリセル系列ビットＣｉ（ｉは、Ｍ以下の整数である）を含む。前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１１４】
選択可能に、前記移行モジュール８０２は、具体的に、前記ＬＣＩＤの値が第１所定値であれば、第２所定値を取るＣｉに対応する前記第３状態のセカンダリセルの状態を前記活性状態に移行すること、前記ＬＣＩＤの値が第３所定値であれば、第４所定値を取るＣｉに対応する前記第３状態のセカンダリセルの状態を前記非活性状態に移行すること、前記ＬＣＩＤの値が第５所定値であれば、第６所定値を取るＣｉに対応する前記第３状態のセカンダリセルの状態を、所定の移行順に従って次の状態に移行することに用いられる。
【０１１５】
選択可能に、前記状態移行指示情報は、ＬＣＩＤと、Ｎ（正の整数）ビットのＭＡＣ  ＣＥとを含む。前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含む。前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する。
【０１１６】
選択可能に、前記移行モジュール８０２は、具体的に、前記Ｃｉに含まれる前記Ｘビットの値が、前記Ｃｉに対応するセカンダリセルの状態を前記第３状態に移行することを指示するための値であれば、前記Ｃｉに対応するセカンダリセルの状態を前記第３状態に移行すること、前記Ｃｉに含まれる前記Ｘビットの値が、前記Ｃｉに対応するセカンダリセルの状態を前記活性状態に移行することを指示するための値であれば、前記Ｃｉに対応するセカンダリセルの状態を前記活性状態に移行すること、前記Ｃｉに含まれる前記Ｘビットの値が、前記Ｃｉに対応するセカンダリセルの状態を前記非活性状態に移行することを指示するための値であれば、前記Ｃｉに対応するセカンダリセルの状態を前記非活性状態に移行することに用いられる。
【０１１７】
選択可能に、前記状態移行指示情報は、メディアアクセス制御ＭＡＣ制御要素ＣＥと、前記ＭＡＣ  ＣＥの長さを指示するＬフィールドとを含む。前記ＭＡＣ  ＣＥは、セカンダリセル系列を指示するための第１指示ビット列と、セカンダリセルの状態を指示するための第２指示ビット列とを含む。前記Ｍは、正の整数であり、前記ｉは、Ｍ以下の整数である。前記第１指示ビット列は、少なくとも３ビットを含み、前記第２指示ビット列は、少なくとも２ビットを含む。前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する。
【０１１８】
選択可能に、前記移行モジュール８０２は、具体的に、前記第２指示ビット列の値が、セカンダリセルの状態を前記第３状態に移行することを指示するための値であれば、前記第１指示ビット列の値に対応するセカンダリセルの状態を前記第３状態に移行すること、前記第２指示ビット列の値が、セカンダリセルの状態を前記活性状態に移行することを指示するための値であれば、前記第１指示ビット列の値に対応するセカンダリセルの状態を前記活性状態に移行すること、前記第２指示ビット列の値が、セカンダリセルの状態を前記非活性状態に移行することを指示するための値であれば、前記第１指示ビット列の値に対応するセカンダリセルの状態を前記非活性状態に移行することに用いられる。
【０１１９】
なお、本開示の実施例において、上記ＵＥ８００は、方法実施例における任意の実施形態のＵＥであってもよく、方法実施例におけるＵＥの任意の実施形態を、本開示の実施例における上記ＵＥ８００によって実現することができ、同じ効果を奏することもできるので、重複を避けるために、ここでは繰り返して説明しない。
【０１２０】
図１５は、本開示の実施例における別の種類のネットワーク側機器の構造図である。図１５に示すように、当該ネットワーク側機器９００は、プロセッサ９０１と、トランシーバ９０２と、メモリ９０３と、バスインタフェース９０４を含む。ここで、プロセッサ９０１は、メモリ９０３からプログラムを読み取ることによって、セカンダリセルの状態が活性状態、非活性状態及び第３状態のうちの２つの状態の間で移行することを指示するための状態移行指示情報を設定するプロセスを実行することに用いられる。ここで、トランシーバ９０２は、前記状態移行指示情報をユーザ端末ＵＥに送信することに用いられる。
【０１２１】
図１５において、バスアーキテクチャは、任意数の相互接続するバスとブリッジを含み、具体的に、プロセッサ９０１をはじめとする１つ又は複数のプロセッサとメモリ９０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９０２は、複数の部品であってもよく、即ち送信機と受信機を含み、伝送媒体でほかの各種類の装置と通信するユニットとして提供される。ユーザ端末によっては、ユーザインタフェース９０４は、内部接続や外部接続する機器のインタフェースであってもよい。接続する機器は、キーパッド、ディスプレイ、スピーカ、マイクロフォン、ジョイスティックなどを含むが、それらに限られない。
【０１２２】
プロセッサ９０１は、バスアーキテクチャと通常の処理を管理する。メモリ９０３は、プロセッサ９０１による作業時に使用されるデータを記憶できる。
【０１２３】
選択可能に、前記状態移行指示情報は、Ｎ（正の整数）ビットのメディアアクセス制御ＭＡＣ制御要素ＣＥを含み、ＭＡＣ  ＣＥは、Ｍ（正の整数）個のセカンダリセル系列ビットＣｉ（ｉは、Ｍ以下の整数である）を含み、前記Ｃｉの値は、前記Ｃｉに対応するセカンダリセルの状態が前記活性状態、前記非活性状態及び前記第３状態のうちの２つの状態の間で移行することを指示する。
【０１２４】
選択可能に、前記ＭＡＣ  ＣＥは、予約ビットＲをさらに含み、前記Ｒの値が第１所定値であれば、第２所定値を取るＣｉに対応するセカンダリセルの状態を前記第３状態に移行することを指示し、前記Ｒの値が第３所定値であれば、第４所定値を取るＣｉに対応するセカンダリセルの状態を前記第３状態から前記活性状態又は前記非活性状態に移行することを指示し、前記Ｒの値が第５所定値であれば、第６所定値を取るＣｉに対応するセカンダリセルの状態を、現在の状態から所定の移行順に従って次の状態に移行することを指示する。
【０１２５】
選択可能に、前記状態移行指示情報は、ＭＡＣ  ＣＥと、前記ＭＡＣ  ＣＥの長さを指示するＬフィールドとを含み、前記ＭＡＣ  ＣＥは、少なくとも２つのフィールドを含み、各フィールドは、Ｎ（正の整数）ビットを含み、ここで、前記ＭＡＣ  ＣＥの各フィールドは、Ｍ（正の整数）個のセカンダリセル系列ビットＣｉ（ｉは、Ｍ以下の整数である）を含み、各フィールドにおける前記Ｃｉの値は、前記Ｃｉに対応するセカンダリセルの状態が前記活性状態、前記非活性状態及び前記第３状態のうちの２つの状態の間で移行することを指示する。
【０１２６】
選択可能に、前記ＭＡＣ  ＣＥの各フィールドは、予約ビットＲをさらに含み、各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行することを指示し、各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行することを指示し、各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することを指示する。
【０１２７】
選択可能に、前記状態移行指示情報は、論理チャネル識別子ＬＣＩＤと、Ｎビット（正の整数）の第１ＭＡＣ  ＣＥとを含み、前記第１ＭＡＣ  ＣＥは、Ｍ（前記Ｎ以下の正の整数）個のセカンダリセル系列ビットＣｉ（ｉは、Ｍ以下の整数である）を含み、前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１２８】
選択可能に、前記ＬＣＩＤの値が第１所定値であれば、第２所定値を取るＣｉに対応するセカンダリセルの状態を前記第３状態に移行することを指示し、前記ＬＣＩＤの値が第３所定値であれば、第４所定値を取るＣｉに対応するセカンダリセルの状態を前記第３状態から移行させることを指示し、前記ＬＣＩＤの値が第５所定値であれば、第６所定値を取るＣｉに対応するセカンダリセルの状態を、現在の状態から所定の移行順に従って次の状態に移行することを指示する。
【０１２９】
選択可能に、前記状態移行指示情報は、セカンダリセルの状態を前記第３状態から前記活性状態又は前記非活性状態に移行することを指示するための第２ＭＡＣ  ＣＥをさらに含む。
【０１３０】
選択可能に、前記状態移行指示情報は、ＬＣＩＤと、Ｎ（正の整数）ビットのＭＡＣ  ＣＥとを含み、前記ＭＡＣ  ＣＥは、Ｍ（前記Ｎ以下の正の整数）個のセカンダリセル系列ビットＣｉ（ｉは、Ｍ以下の整数である）を含み、前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１３１】
選択可能に、前記ＬＣＩＤの値が第１所定値であれば、第２所定値を取るＣｉに対応する前記第３状態のセカンダリセルの状態を前記活性状態に移行することを指示し、前記ＬＣＩＤの値が第３所定値であれば、第４所定値を取るＣｉに対応する前記第３状態のセカンダリセルの状態を前記非活性状態に移行することを指示し、前記ＬＣＩＤの値が第５所定値であれば、第６所定値を取るＣｉに対応する前記第３状態のセカンダリセルの状態を、所定の移行順に従って次の状態に移行することを指示する。
【０１３２】
選択可能に、前記状態移行指示情報は、ＬＣＩＤと、Ｎ（正の整数）ビットのＭＡＣ  ＣＥとを含み、前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する。
【０１３３】
選択可能に、前記状態移行指示情報は、ＭＡＣ  ＣＥと、前記ＭＡＣ  ＣＥの長さを指示するＬフィールドとを含み、前記ＭＡＣ  ＣＥは、セカンダリセル系列を指示するための第１指示ビット列と、セカンダリセルの状態を指示するための第２指示ビット列とを含み、前記Ｍは、正の整数であり、前記ｉは、Ｍ以下の整数であり、前記第１指示ビット列は、少なくとも３ビットを含み、前記第２指示ビット列は、少なくとも２ビットを含み、前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する。
【０１３４】
なお、本開示の実施例において、上記ネットワーク側機器９００は、方法実施例における任意の実施形態のネットワーク側機器であってもよく、方法実施例におけるネットワーク側機器の任意の実施形態を、上記ネットワーク側機器９００によって実現することができ、同じ効果を奏することもできるので、重複を避けるために、ここでは繰り返して説明しない。
【０１３５】
図１６は、本開示の各実施例を実現する一種のＵＥのハードウェア構造を示す図面である。当該ＵＥ１０００は、ラジオ周波数ユニット１００１と、ネットワークモジュール１００２と、音声出力ユニット１００３と、入力ユニット１００４と、センサ１００５と、表示ユニット１００６と、ユーザ入力ユニット１００７と、インタフェースユニット１００８と、メモリ１００９と、プロセッサ１０１０と、電源１０１１などの構成要素を含むが、これらに限定されない。図１０に示されるＵＥの構造は、ＵＥを限定するものではなく、ＵＥは、図示されるよりも多い又は少ない構成要素を含むことができ、又は特定の構成要素を組み合わせることができ、又は異なる構成要素の構成を含むことができることを、当業者は理解可能である。本開示の実施例において、ＵＥは、携帯電話、タブレットパソコン、ノートパソコン、パームトップパソコン、車載端末、ウェアラブルデバイス及び歩数計などを含むが、それらに限定されない。
【０１３６】
ここで、ラジオ周波数ユニット１００１は、セカンダリセルの状態が活性状態、非活性状態及び第３状態のうちの２つの状態の間で移行することを指示するための状態移行指示情報をネットワーク側機器から受信することに用いられる。プロセッサ１０１０は、前記状態移行指示情報に基づいてセカンダリセルの状態を移行することに用いられる。
【０１３７】
選択可能に、前記状態移行指示情報は、Ｎ（正の整数）ビットのＭＡＣ  ＣＥを含み、前記ＭＡＣ  ＣＥは、Ｍ（正の整数）個のセカンダリセル系列ビットＣｉ（ｉは、Ｍ以下の整数である）を含み、前記Ｃｉの値は、前記Ｃｉに対応するセカンダリセルの状態が前記活性状態、前記非活性状態及び前記第３状態のうちの２つの状態の間で移行することを指示する。
【０１３８】
選択可能に、前記ＭＡＣ  ＣＥは、予約ビットＲをさらに含み、プロセッサ１０１０は、前記の前記状態移行指示情報に基づいてセカンダリセルの状態を移行するステップを実行する際に、前記Ｒの値が第１所定値であれば、第２所定値を取るＣｉに対応するセカンダリセルの状態を前記第３状態に移行すること、前記Ｒの値が第３所定値であれば、第４所定値を取るＣｉに対応するセカンダリセルの状態を前記第３状態から前記活性状態又は前記非活性状態に移行すること、前記Ｒの値が第５所定値であれば、第６所定値を取るＣｉに対応するセカンダリセルの状態を、現在の状態から所定の移行順に従って次の状態に移行することを含む。
【０１３９】
選択可能に、前記状態移行指示情報は、ＭＡＣ  ＣＥと、前記ＭＡＣ  ＣＥの長さを指示するＬフィールドとを含み、前記ＭＡＣ  ＣＥは、少なくとも２つのフィールドを含み、各フィールドは、Ｎ（正の整数）ビットを含み、ここで、前記ＭＡＣ  ＣＥの各フィールドは、Ｍ（正の整数）個のセカンダリセル系列ビットＣｉ（ｉは、Ｍ以下の整数である）を含み、各フィールドにおける前記Ｃｉの値は、前記Ｃｉに対応するセカンダリセルの状態が前記活性状態、前記非活性状態及び前記第３状態のうちの２つの状態の間で移行することを指示する。
【０１４０】
選択可能に、前記ＭＡＣ  ＣＥの各フィールドは、予約ビットＲをさらに含み、プロセッサ１０１０は、前記の前記状態移行指示情報に基づいてセカンダリセルの状態を移行するステップを実行する際に、各フィールドにおける前記Ｒの値が第１所定条件に適合し、且つ各フィールドにおける前記Ｃｉの値が第２所定条件に適合する場合、前記Ｃｉに対応するセカンダリセルの状態を前記第３状態に移行すること、各フィールドにおける前記Ｒの値が第３所定条件に適合し、且つ各フィールドにおける前記Ｃｉの値が第４所定条件に適合する場合、前記Ｃｉに対応するセカンダリセルの状態を前記第３状態から前記活性状態又は前記非活性状態に移行すること、各フィールドにおける前記Ｒの値が第５所定条件に適合し、且つ各フィールドにおける前記Ｃｉの値が第６所定条件に適合する場合、前記Ｃｉに対応するセカンダリセルの状態を、現在の状態から所定の移行順に従って次の状態に移行することを含む。
【０１４１】
選択可能に、前記状態移行指示情報は、論理チャネル識別子ＬＣＩＤと、Ｎビット（正の整数）の第１ＭＡＣ  ＣＥとを含み、前記第１ＭＡＣ  ＣＥは、Ｍ（前記Ｎ以下の正の整数）個のセカンダリセル系列ビットＣｉ（ｉは、Ｍ以下の整数である）を含み、前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１４２】
選択可能に、プロセッサ１０１０は、前記の前記状態移行指示情報に基づいてセカンダリセルの状態を移行するステップを実行する際に、前記ＬＣＩＤの値が第１所定値であれば、第２所定値を取るＣｉに対応するセカンダリセルの状態を前記第３状態に移行すること、前記ＬＣＩＤの値が第３所定値であれば、第４所定値を取るＣｉに対応するセカンダリセルの状態を前記第３状態から移行させること、前記ＬＣＩＤの値が第５所定値であれば、第６所定値を取るＣｉに対応するセカンダリセルの状態を、現在の状態から所定の移行順に従って次の状態に移行することを含む。
【０１４３】
選択可能に、前記状態移行指示情報は、セカンダリセルの状態を前記第３状態から前記活性状態又は前記非活性状態に移行することを指示するための第２ＭＡＣ  ＣＥをさらに含む。
【０１４４】
選択可能に、前記状態移行指示情報は、ＬＣＩＤと、Ｎ（正の整数）ビットのＭＡＣ  ＣＥとを含み、前記ＭＡＣ  ＣＥは、Ｍ（前記Ｎ以下の正の整数）個のセカンダリセル系列ビットＣｉ（ｉは、Ｍ以下の整数である）を含み、前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する。
【０１４５】
選択可能に、プロセッサ１０１０は、前記の前記状態移行指示情報に基づいてセカンダリセルの状態を移行するステップを実行する際に、前記ＬＣＩＤの値が第１所定値であれば、第２所定値を取るＣｉに対応する前記第３状態のセカンダリセルの状態を前記活性状態に移行すること、前記ＬＣＩＤの値が第３所定値であれば、第４所定値を取るＣｉに対応する前記第３状態のセカンダリセルの状態を前記非活性状態に移行すること、前記ＬＣＩＤの値が第５所定値であれば、第６所定値を取るＣｉに対応する前記第３状態のセカンダリセルの状態を、所定の移行順に従って次の状態に移行することを含む。
【０１４６】
選択可能に、前記状態移行指示情報は、ＬＣＩＤと、Ｎ（正の整数）ビットのＭＡＣ  ＣＥとを含み、前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する。
【０１４７】
選択可能に、プロセッサ１０１０は、前記の前記状態移行指示情報に基づいてセカンダリセルの状態を移行するステップを実行する際に、前記Ｃｉに含まれる前記Ｘビットの値が、前記Ｃｉに対応するセカンダリセルの状態を前記第３状態に移行することを指示するための値であれば、前記Ｃｉに対応するセカンダリセルの状態を前記第３状態に移行すること、前記Ｃｉに含まれる前記Ｘビットの値が、前記Ｃｉに対応するセカンダリセルの状態を前記活性状態に移行することを指示するための値であれば、前記Ｃｉに対応するセカンダリセルの状態を前記活性状態に移行すること、前記Ｃｉに含まれる前記Ｘビットの値が、前記Ｃｉに対応するセカンダリセルの状態を前記非活性状態に移行することを指示するための値であれば、前記Ｃｉに対応するセカンダリセルの状態を前記非活性状態に移行することを含む。
【０１４８】
選択可能に、前記状態移行指示情報は、メディアアクセス制御ＭＡＣ制御要素ＣＥと、前記ＭＡＣ  ＣＥの長さを指示するＬフィールドとを含み、前記ＭＡＣ  ＣＥは、セカンダリセル系列を指示するための第１指示ビット列と、セカンダリセルの状態を指示するための第２指示ビット列とを含み、前記Ｍは、正の整数であり、前記ｉは、Ｍ以下の整数であり、前記第１指示ビット列は、少なくとも３ビットを含み、前記第２指示ビット列は、少なくとも２ビットを含み、前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する。
【０１４９】
選択可能に、プロセッサ１０１０は、前記の前記状態移行指示情報に基づいてセカンダリセルの状態を移行するステップを実行する際に、前記第２指示ビット列の値が、セカンダリセルの状態を前記第３状態に移行することを指示するための値であれば、前記第１指示ビット列の値に対応するセカンダリセルの状態を前記第３状態に移行すること、前記第２指示ビット列の値が、セカンダリセルの状態を前記活性状態に移行することを指示するための値であれば、前記第１指示ビット列の値に対応するセカンダリセルの状態を前記活性状態に移行すること、前記第２指示ビット列の値が、セカンダリセルの状態を前記非活性状態に移行することを指示するための値であれば、前記第１指示ビット列の値に対応するセカンダリセルの状態を前記非活性状態に移行することを含む。
【０１５０】
本開示の実施例において、状態移行指示情報を設定して、セカンダリセルの状態が活性状態、非活性状態及び第３状態のうちの２つの状態の間で移行することを指示する。これによって、第３状態が導入された後に、セカンダリセルが活性状態と非活性状態との間で移行する際に生じる遅延を低減することができるとともに、第３状態を導入した後の通信システムの互換性を向上させることができる。
【０１５１】
なお、本開示の実施例において、ラジオ周波数ユニット１００１は、情報の送受信又は通話中で信号の送受信に用いられ、具体的に、基地局からのダウンリンクデータを受信した後、プロセッサ１０１０による処理に供し、また、アップリンクデータを基地局に送信する。一般に、ラジオ周波数ユニット１００１は、アンテナ、少なくとも１つの増幅器、トランシーバ、結合器、低雑音増幅器、デュプレクサなどを含むが、それらに限定されない。また、ラジオ周波数ユニット１００１は、無線通信システムを介してネットワークや他の機器と通信を行うこともできる。
【０１５２】
ＵＥは、ネットワークモジュール１００２を介して、電子メールの送受信、ウェブページの閲覧、ストリーミングメディアへのアクセスを支援するなど、無線ブロードバンドインターネットアクセスをユーザに提供する。
【０１５３】
音声出力ユニット１００３は、ＲＦ（ラジオ周波数）ユニット１００１やネットワークモジュール１００２が受信した音声データや、メモリ１００９に記憶された音声データを音声信号に変換して音声として出力することができる。また、音声出力ユニット１００３は、ＵＥ１０００が実行する特定の機能に関する音声（例えば、呼出信号着信音、メッセージ着信音等）を出力してもよい。音声出力ユニット１００３は、スピーカ、ブザー及びレシーバなどを含む。
【０１５４】
入力ユニット１００４は、音声や映像の信号を受信することに用いられる。入力ユニット１００４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１００４１と、マイク１００４２とを含む。処理された画像フレームは、表示ユニット１００６上に表示される。グラフィックスプロセッサ１００４１で処理された画像フレームは、メモリ１００９（又は他の記憶媒体）に記憶されるか、又はラジオ周波数ユニット１００１又はネットワークモジュール１００２を介して送信される。マイク１００４２は、音声を受信し、音声データに加工することができる。処理された音声データは、電話通話モードの場合、ラジオ周波数ユニット１００１を介して移動体通信基地局に送信可能な形式に変換して出力することができる。
【０１５５】
ＵＥ１０００は、光センサ、モーションセンサ及び他のセンサのような少なくとも１つのセンサ１００５を更に含む。具体的には、光センサは、周辺光センサ及び近接センサを含む。周辺光センサは、周辺光の明暗に応じて表示パネル１００６１の輝度を調節し、近接センサは、ＵＥ１０００が耳に移動したときに表示パネル１００６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ１００５は、指紋センサ、圧力センサ、虹彩センサ、分子センサ、ジャイロスコープ、気圧計、湿度計、温度計、赤外線センサなどをさらに含むことができるが、ここでは枚挙しない。
【０１５６】
表示ユニット１００６は、ユーザが入力した情報やユーザに提供した情報を表示するために用いられる。表示ユニット１００６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１００６１を含んでもよい。
【０１５７】
ユーザ入力ユニット１００７は、数字や文字情報の入力を受け付け、ユーザによる端末の設定や機能制御に関するキー信号の入力を行うことに用いられる。具体的に、ユーザ入力ユニット１００７は、タッチパネル１００７１と、その他の入力装置１００７２とを含む。タッチパネル１００７１は、タッチスクリーンとも呼ばれ、その上又は付近でのユーザのタッチ操作を取得可能である（たとえばユーザが指やスタイラスなどの任意の適切な物体や付属部材を用いたタッチパネル１００７１の上又はタッチパネル１００７１の付近での操作）。タッチパネル１００７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１０１０に送り、プロセッサ１０１０からの命令を受信して実行する。なお、タッチパネル１００７１は、抵抗膜式、静電容量式、赤外線、表面弾性波など、種々の方式を用いて実現することができる。ユーザ入力ユニット１００７は、タッチパネル１００７１の他に、他の入力装置１００７２を含んでもよい。具体的に、他の入力装置１０７２は、物理的なキーボード、機能キー（例えば、音量調節キー、スイッチキーなど）、トラックボール、マウス、レバーを含むが、ここでは枚挙しない。
【０１５８】
さらに、タッチパネル１００７１は、表示パネル１００６１に重ねられる。タッチパネル１００７１は、その上又はその近くでタッチ操作を検出すると、プロセッサ１０１０に送信して、タッチイベントのタイプを決定する。次いで、プロセッサ１０１０は、タッチイベントのタイプに応じて、対応する視覚的出力を表示パネル１００６１に提供する。図１６では、タッチパネル１００７１と表示パネル１００６１は、独立した２つの部品として移動端末の入出力機能を実現するが、実施例によっては、タッチパネル１００７１と表示パネル１００６１を一体化して移動端末の入出力機能を実現することもでき、具体的にここでは限定しない。
【０１５９】
インタフェースユニット１００８は、外部装置とＵＥ１０００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１００８は、外部装置から入力（たとえば、データ情報、電力など）を受信し、受信した入力をＵＥ１０００内の１つ以上の要素に伝送するために使用されてもよく、又はＵＥ１０００と外部装置との間でデータを伝送するために使用されてもよい。
【０１６０】
メモリ１００９は、ソフトウェアプログラム及び様々なデータを格納するために使用される。メモリ１００９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。さらに、メモリ１００９は、高速ランダムアクセスメモリを含んでもよく、少なくとも１つの磁気ディスク記憶装置、フラッシュメモリデバイス、又は他の揮発性固体記憶デバイスなどの非揮発性メモリを含んでもよい。
【０１６１】
プロセッサ１０１０は、端末の制御センタであり、各種インタフェースや回線を用いて端末全体の各部を接続し、メモリ１００９に格納されたソフトウェアプログラム及び／又はモジュールを実行、メモリ１００９に格納されたデータを呼び出して端末の各種機能及び処理データを実行し、端末全体の監視を行う。プロセッサ１０１０は、１つ以上の処理ユニットを含んでもよい。選択可能に、プロセッサ１０１０は、オペレーティングシステム、ユーザインタフェース及びアプリケーションなどを主に処理するアプリケーションプロセッサと、ワイヤレス通信を主に処理するモデムプロセッサとを統合することができる。上述のモデムプロセッサは、プロセッサ１０１０に統合されなくてもよいことが理解される。
【０１６２】
ＵＥ１０００は、各構成要素に電力を供給するためのバッテリのような電源１０１１をさらに含んでもよい。選択可能に、電源１０１１は、電源管理システムを介してプロセッサ１０１０に論理的に接続されてもよく、電源管理システムを介して充電、放電、及び消費電力管理などを管理する機能を実現してもよい。
【０１６３】
また、ＵＥ１０００は、図示しない機能モジュールをさらに含んでもよく、ここでの説明は省略する。
【０１６４】
選択可能に、本開示実施例は、プロセッサ１０１０と、メモリ１００９と、メモリ１００９に記憶され、前記プロセッサ１０１０で動作するコンピュータプログラムとを含むＵＥをさらに提供し、当該コンピュータプログラムがプロセッサ１０１０によって実行されると、上記セカンダリセル状態指示方法の実施例の各プロセスを実現し、かつ同じ技術効果を達することができるので、重複を避けるために、ここでは繰り返して説明しない。
【０１６５】
本開示の実施例は、コンピュータプログラムが記憶されているコンピュータ読み取り可能な記憶媒体をさらに提供し、当該コンピュータプログラムがプロセッサによって実行されると、上記セカンダリセル状態指示方法の実施例の各プロセスが実現され、かつ同じ技術効果を奏することもできるので、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ラ第１ンダムアクセスメモリＲＡＭ（Ｒａｎｄｏｍ  Ａｃｃｅｓｓ  Ｍｅｍｏｒｙ）、磁気ディスク又は光ディスクなど等である。
【０１６６】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素をさらに含み、又はこのようなプロセス、方法、モノ又は装置に固有の要素をさらに含む。特に限定されない限り、「…を１つ含む」の表現によって限定される要素について、当該要素を含むプロセス、方法、モノ又は装置に他の同一要素の存在を除外しない。
【０１６７】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の移動端末（携帯電話、コンピュータ、サーバー、空調機又はネットワークデバイスなど）に実行させるいくつかの指令を含む。
【０１６８】
以上の記載は、単に本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【符号の説明】
【０１６９】
700  ネットワーク側機器
701  設定モジュール
702  送信モジュール
801  受信モジュール
802  移行モジュール
900  ネットワーク側機器
901  プロセッサ
902  トランシーバ
903  メモリ
904  バスインタフェース
1001  ＲＦユニット
1002  ネットワークモジュール
1003  音声出力ユニット
1004  入力ユニット
1005  センサ
1006  表示ユニット
1007  ユーザ入力ユニット
1008  インタフェースユニット
1009  メモリ
1010  プロセッサ
1011  電源
10041  グラフィックスプロセッサ
10042  マイク
10061  表示パネル
10071  タッチパネル
10072  ほかの入力装置
【図１】
2021510252.tif 000007
【図２】
2021510252.tif 000008
【図３】
2021510252.tif 000009
【図４】
2021510252.tif 000010
【図５】
2021510252.tif 000011
【図６】
2021510252.tif 000012
【図７】
2021510252.tif 000013
【図８】
2021510252.tif 000014
【図９】
2021510252.tif 000015
【図１０】
2021510252.tif 000016
【図１１】
2021510252.tif 000017
【図１２】
2021510252.tif 000018
【図１３】
2021510252.tif 000019
【図１４】
2021510252.tif 000020
【図１５】
2021510252.tif 000021
【図１６】
2021510252.tif 000022
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
ネットワーク側機器に応用されるセカンダリセル状態指示方法において、
セカンダリセルの状態が活性状態、非活性状態及び第３状態のうちの２つの状態の間で移行することを指示するための状態移行指示情報を設定するステップと、
前記状態移行指示情報をユーザ端末ＵＥに送信するステップとを含む、セカンダリセル状態指示方法。
【請求項２】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項１に記載の方法。
【請求項３】
前記状態移行指示情報は、Ｎ（正の整数）ビットのメディアアクセス制御ＭＡＣ制御要素ＣＥを含み、
ＭＡＣ  ＣＥは、Ｍ（正の整数）個のセカンダリセル系列ビットＣｉ（ｉは、Ｍ以下の整数である）を含み、
前記Ｃｉの値は、前記Ｃｉに対応するセカンダリセルの状態が前記活性状態、前記非活性状態及び前記第３状態のうちの２つの状態の間で移行することを指示し、
前記ＭＡＣ  ＣＥは、予約ビットＲをさらに含み、
前記Ｒの値が第１所定値であれば、第２所定値を取るＣｉに対応するセカンダリセルの状態を前記第３状態に移行することを指示し、
前記Ｒの値が第３所定値であれば、第４所定値を取るＣｉに対応するセカンダリセルの状態を前記第３状態から前記活性状態又は前記非活性状態に移行することを指示する、請求項１に記載の方法。
【請求項４】
前記状態移行指示情報は、ＭＡＣ  ＣＥと、前記ＭＡＣ  ＣＥの長さを指示するＬフィールドとを含み、
前記ＭＡＣ  ＣＥは、少なくとも２つのフィールドを含み、各フィールドは、Ｎ（正の整数）ビットを含み、
ここで、前記ＭＡＣ  ＣＥの各フィールドは、Ｍ（正の整数）個のセカンダリセル系列ビットＣｉ（ｉは、Ｍ以下の整数である）を含み、
各フィールドにおける前記Ｃｉの値は、前記Ｃｉに対応するセカンダリセルの状態が前記活性状態、前記非活性状態及び前記第３状態のうちの２つの状態の間で移行することを指示する、請求項１に記載の方法。
【請求項５】
前記ＬＣＩＤの値が第１所定値であれば、第２所定値を取るＣｉに対応するセカンダリセルの状態を前記第３状態に移行することを指示し、
前記ＬＣＩＤの値が第３所定値であれば、第４所定値を取るＣｉに対応するセカンダリセルの状態を前記第３状態から移行させることを指示する、請求項２に記載の方法。
【請求項６】
前記状態移行指示情報は、セカンダリセルの状態を前記第３状態から前記活性状態又は前記非活性状態に移行することを指示するための第２ＭＡＣ  ＣＥをさらに含む、請求項５に記載の方法。
【請求項７】
前記状態移行指示情報は、ＬＣＩＤと、Ｎ（正の整数）ビットのＭＡＣ  ＣＥとを含み、
前記ＭＡＣ  ＣＥは、Ｍ（正の整数）グループのセカンダリセル系列ビットＣｉ（ｉは、Ｍ以下の整数である）フィールドを含み、各グループのＣｉフィールドは、Ｘ（１より大きい正の整数）ビットを含み、
前記ＬＣＩＤの値及び各グループのＣｉフィールドに含まれる前記Ｘビットの値は、前記Ｃｉに対応するセカンダリセルの状態を、前記活性状態、前記非活性状態及び前記第３状態のうちの１つの状態に移行することを指示する、請求項１に記載の方法。
【請求項８】
前記状態移行指示情報は、ＭＡＣ  ＣＥと、前記ＭＡＣ  ＣＥの長さを指示するＬフィールドとを含み、
前記ＭＡＣ  ＣＥは、セカンダリセル系列を指示するための第１指示ビット列と、セカンダリセルの状態を指示するための第２指示ビット列とを含み、Ｍは、正の整数であり、ｉは、Ｍ以下の整数であり、前記第１指示ビット列は、少なくとも３ビットを含み、前記第２指示ビット列は、少なくとも２ビットを含み、
前記第１指示ビット列の値及び前記第２指示ビット列の値は、前記第１指示ビット列に対応するセカンダリセルの状態を、前記活性状態、前記非活性状態及び前記第３状態のうちの１つの状態に移行することを指示する、請求項１に記載の方法。
【請求項９】
ユーザ機器ＵＥに応用されるセカンダリセル状態指示方法において、
セカンダリセルの状態が活性状態、非活性状態及び第３状態のうちの２つの状態の間で移行することを指示するための状態移行指示情報をネットワーク側機器から受信するステップと、
前記状態移行指示情報に基づいてセカンダリセルの状態を移行するステップとを含む、セカンダリセル状態指示方法。
【請求項１０】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項９に記載の方法。
【請求項１１】
前記の前記状態移行指示情報に基づいてセカンダリセルの状態を移行するステップは、
前記ＬＣＩＤの値が第１所定値であれば、第２所定値を取るＣｉに対応するセカンダリセルの状態を前記第３状態に移行し、
前記ＬＣＩＤの値が第３所定値であれば、第４所定値を取るＣｉに対応するセカンダリセルの状態を前記第３状態から移行させることを含む、請求項１０に記載の方法。
【請求項１２】
前記状態移行指示情報は、セカンダリセルの状態を前記第３状態から前記活性状態又は前記非活性状態に移行することを指示するための第２ＭＡＣ  ＣＥをさらに含む、請求項１１に記載の方法。
【請求項１３】
セカンダリセルの状態が活性状態、非活性状態及び第３状態のうちの２つの状態の間で移行することを指示するための状態移行指示情報を設定するための設定モジュールと、
前記状態移行指示情報をユーザ端末ＵＥに送信するための送信モジュールとを含む、ネットワーク側機器。
【請求項１４】
前記状態移行指示情報は、論理チャネル識別子ＬＣＩＤと、Ｎビット（正の整数）の第１ＭＡＣ  ＣＥとを含み、
前記第１ＭＡＣ  ＣＥは、Ｍ（前記Ｎ以下の正の整数）個のセカンダリセル系列ビットＣｉ（ｉは、Ｍ以下の整数である）を含み、
前記ＬＣＩＤの値及び前記Ｃｉの値は、前記Ｃｉに対応するセカンダリセルの状態が前記活性状態、前記非活性状態及び前記第３状態のうちの２つの状態の間で移行することを指示する、請求項１３に記載のネットワーク側機器。
【請求項１５】
セカンダリセルの状態が活性状態、非活性状態及び第３状態のうちの２つの状態の間で移行することを指示するための状態移行指示情報をネットワーク側機器から受信するための受信モジュールと、
前記状態移行指示情報に基づいてセカンダリセルの状態を移行するための移行モジュールとを含む、ユーザ端末ＵＥ。
【国際調査報告】
2021510252.tif 000023
2021510252.tif 000024
2021510252.tif 000025
2021510252.tif 000026